(57)【要約】  本発明の一実施形態による移動通信システムの移動性管理エンティティー（ｍｏｂｉｌｉｔｙ  ｍａｎａｇｅｍｅｎｔ  ｅｎｔｉｔｙ，ＭＭＥ）で端末のハンドオーバー支援方法は、基地局から前記端末がハンドオーバーされるセルの情報を含み、他の網へハンドオーバーするための第１メッセージを受信する段階と；前記第１メッセージを基盤に前記端末の位置関連情報を報告する第２メッセージをサーバーに転送する段階とを含む。本発明の実施形態による場合、３ＧＰＰ通信機能とＷｉＦｉ機能を同時搭載したユーザ端末で、ユーザ端末は、ユーザの位置や設定、パターンによって自動で無線ランをオンまたはオフすることによって、不要なバッテリー消耗や性能低下を防止し、また接続可能な無線ランをあらかじめ探して接続することができる。
2016511973.tif 000002
【特許請求の範囲】
【請求項１】
移動通信システムの移動性管理エンティティー（ｍｏｂｉｌｉｔｙ  ｍａｎａｇｅｍｅｎｔ  ｅｎｔｉｔｙ，ＭＭＥ）で端末のハンドオーバー支援方法において、
基地局から前記端末がハンドオーバーされるセルの情報を含み、他の網へハンドオーバーするための第１メッセージを受信する段階と；
前記第１メッセージを基盤に前記端末の位置関連情報を報告し、位置連続性（ｌｏｃａｔｉｏｎ  ｃｏｎｔｉｎｕｉｔｙ）を提供するための第２メッセージをサーバーに転送する段階とを含むハンドオーバー支援方法。
【請求項２】
前記ハンドオーバーされるセルの情報は、基準セルＩＤ（Ｒｅｆｅｒｅｎｃｅ  Ｃｅｌｌ  ｉｄｅｎｔｉｆｉｃａｔｉｏｎ）であり、
前記第２メッセージは、基準セルＩＤを含むことを特徴とする請求項１に記載のハンドオーバー支援方法。
【請求項３】
前記第１メッセージは前記端末の移動装置識別子（ｍｏｂｉｌｅ  ｅｑｕｉｐｍｅｎｔ  ｉｄｅｎｔｉｆｉｅｒ，ＭＥＩＤ）、基地局が生成した任意の値（ｒａｎｄｏｍ  ｎｕｍｂｅｒ，ＲＡＮＤ）、１ｘ  Ｏｒｉｇｉｎａｔｉｏｎ情報のうち少なくとも１つをさらに含むことを特徴とする請求項２に記載のハンドオーバー支援方法。
【請求項４】
前記第２メッセージをサーバーに転送する段階は、
前記ハンドオーバーの対象呼が応急サービスと関連した場合、前記基準セルＩＤを含む前記第２メッセージを前記サーバーに転送する段階を含むことを特徴とする請求項２に記載のハンドオーバー支援方法。
【請求項５】
前記第２メッセージを転送する段階は、
前記基準セルＩＤを含む情報をｉｎｔｅｒｗｏｒｋｉｎｇ  ｓｏｌｕｔｉｏｎ  ｆｕｎｃｔｉｏｎ（ＩＷＳ）に転送する段階と；
前記ＩＷＳから前記端末をサービスするｍｏｂｉｌｅ  ｓｗｉｔｃｈｉｎｇ  ｃｅｎｔｅｒ（ＭＳＣ）情報を受信する段階と；
前記ＭＳＣ情報を含む前記第２メッセージをサーバーに転送する段階とを含むことを特徴とする請求項２に記載のハンドオーバー支援方法。
【請求項６】
移動通信システムの基地局で端末のハンドオーバー支援方法において、
端末から前記端末のハンドオーバーのための第１メッセージを受信する段階と；
前記第１メッセージを基盤に移動性管理エンティティー（ｍｏｂｉｌｉｔｙ  ｍａｎａｇｅｍｅｎｔ  ｅｎｔｉｔｙ，ＭＭＥ）に前記端末がハンドオーバーされるセルの情報を含み、他の網へハンドオーバーするための第２メッセージを転送する段階とを含み、
前記第２メッセージを基盤に前記ＭＭＥがサーバーに前記端末の位置関連情報を報告して位置連続性（ｌｏｃａｔｉｏｎ  ｃｏｎｔｉｎｕｉｔｙ）を提供するための第３メッセージを転送することを特徴とするハンドオーバー支援方法。
【請求項７】
前記ハンドオーバーされるセルの情報は、基準セルＩＤ（Ｒｅｆｅｒｅｎｃｅ  Ｃｅｌｌ  ｉｄｅｎｔｉｆｉｃａｔｉｏｎ）であり、
前記第３メッセージは、基準セルＩＤを含むことを特徴とすることを特徴とする請求項６に記載のハンドオーバー支援方法。
【請求項８】
前記第２メッセージは、前記端末の移動装置識別子（ｍｏｂｉｌｅ  ｅｑｕｉｐｍｅｎｔ  ｉｄｅｎｔｉｆｉｅｒ，ＭＥＩＤ）、基地局が生成した任意の値（ｒａｎｄｏｍ  ｎｕｍｂｅｒ，ＲＡＮＤ）、１ｘ  Ｏｒｉｇｉｎａｔｉｏｎ情報のうち少なくとも１つをさらに含むことを特徴とする請求項７に記載のハンドオーバー支援方法。
【請求項９】
前記第３メッセージは、前記ハンドオーバーの対象呼が応急サービスと関連した場合、前記基準セルＩＤを含むことを特徴とする請求項７に記載のハンドオーバー支援方法。
【請求項１０】
前記第３メッセージは、前記基準セルＩＤを基盤にｉｎｔｅｒｗｏｒｋｉｎｇ  ｓｏｌｕｔｉｏｎ  ｆｕｎｃｔｉｏｎ（ＩＷＳ）から前記端末をサービスするｍｏｂｉｌｅ  ｓｗｉｔｃｈｉｎｇ  ｃｅｎｔｅｒ（ＭＳＣ）情報を含むことを特徴とする請求項７に記載のハンドオーバー支援方法。
【請求項１１】
移動通信システムで端末のハンドオーバーを支援する移動性管理エンティティー（ｍｏｂｉｌｉｔｙ  ｍａｎａｇｅ  ｍｅｎｔｅｎｔｉｔｙ，ＭＭＥ）において、
基地局及びサーバーのうち少なくとも１つと信号を送受信する送受信部と；
前記送受信部を制御し、前記基地局から前記端末がハンドオーバーされるセルの情報を含み、他の網へハンドオーバーするための第１メッセージを受信し、前記第１メッセージを基盤に前記端末の位置関連情報を報告し、位置連続性を提供するための第２メッセージを前記サーバーに転送する制御部とを含むＭＭＥ。
【請求項１２】
前記ハンドオーバーされるセルの情報は、基準セルＩＤ（Ｒｅｆｅｒｅｎｃｅ  Ｃｅｌｌ  ｉｄｅｎｔｉｆｉｃａｔｉｏｎ）であり、
前記第２メッセージは、基準セルＩＤを含むことを特徴とすることを特徴とする請求項１１に記載のＭＭＥ。
【請求項１３】
前記第１メッセージは、前記端末の移動装置識別子（ｍｏｂｉｌｅ  ｅｑｕｉｐｍｅｎｔｉｄｅｎｔｉｆｉｅｒ，ＭＥＩＤ）、基地局が生成した任意の値（ｒａｎｄｏｍ  ｎｕｍｂｅｒ，ＲＡＮＤ）、１ｘ  Ｏｒｉｇｉｎａｔｉｏｎ情報のうち少なくとも１つをさらに含むことを特徴とする請求項１２に記載のＭＭＥ。
【請求項１４】
前記制御部は、
前記ハンドオーバーの対象呼が応急サービスと関連した場合、前記基準セルＩＤを含む前記第２メッセージを前記サーバーに転送することを特徴とする請求項１２に記載のＭＭＥ。
【請求項１５】
前記制御部は、
前記基準セルＩＤを含む情報をｉｎｔｅｒｗｏｒｋｉｎｇ  ｓｏｌｕｔｉｏｎ  ｆｕｎｃｔｉｏｎ（ＩＷＳ）に転送し、前記ＩＷＳから前記端末をサービスするｍｏｂｉｌｅ  ｓｗｉｔｃｈｉｎｇ  ｃｅｎｔｅｒ（ＭＳＣ）情報を受信し、前記ＭＳＣ情報を含む前記第２メッセージをサーバーに転送することを特徴とする請求項１２に記載のＭＭＥ。
【請求項１６】
移動通信システムで端末のハンドオーバーを支援する基地局において、
端末及び移動性管理エンティティー（ｍｏｂｉｌｉｔｙ  ｍａｎａｇｅｍｅｎｔ  ｅｎｔｉｔｙ，ＭＭＥ）のうち少なくとも１つと信号を送受信する送受信部と；
前記送受信部を制御し、前記端末から前記端末のハンドオーバーのための第１メッセージを受信し、前記第１メッセージを基盤に前記ＭＭＥに前記端末がハンドオーバーされるセルの情報を含み、他の網へハンドオーバーするための第２メッセージを転送する制御部とを含み、
前記第２メッセージを基盤に前記ＭＭＥがサーバーに前記端末の位置関連情報を報告し、位置連続性を提供するための第３メッセージを転送することを特徴とする基地局。
【請求項１７】
前記ハンドオーバーされるセルの情報は、基準セルＩＤ（Ｒｅｆｅｒｅｎｃｅ  Ｃｅｌｌ  ｉｄｅｎｔｉｆｉｃａｔｉｏｎ）であり、
前記第３メッセージは、基準セルＩＤを含むことを特徴とすることを特徴とする請求項１６に記載の基地局。
【請求項１８】
前記第２メッセージは、前記端末の移動装置識別子（ｍｏｂｉｌｅ  ｅｑｕｉｐｍｅｎｔ  ｉｄｅｎｔｉｆｉｅｒ，ＭＥＩＤ）、基地局が生成した任意の値（ｒａｎｄｏｍ  ｎｕｍｂｅｒ，ＲＡＮＤ）、１ｘ  Ｏｒｉｇｉｎａｔｉｏｎ情報のうち少なくとも１つをさらに含むことを特徴とする請求項１７に記載の基地局。
【請求項１９】
前記第３メッセージは、前記ハンドオーバーの対象呼が応急サービスと関連した場合、前記基準セルＩＤを含むことを特徴とする請求項１７に記載の基地局。
【請求項２０】
前記第３メッセージは、前記基準セルＩＤを基盤にｉｎｔｅｒｗｏｒｋｉｎｇ  ｓｏｌｕｔｉｏｎ  ｆｕｎｃｔｉｏｎ（ＩＷＳ）から前記端末をサービスするｍｏｂｉｌｅ  ｓｗｉｔｃｈｉｎｇ  ｃｅｎｔｅｒ（ＭＳＣ）情報を含むことを特徴とする請求項１７に記載の基地局。
【発明の詳細な説明】
【技術分野】
【０００１】
本発明は、無線ランを使用可能な端末で、ユーザの使用位置や使用パターンによって無線ランを自動でオンまたはオフすることによって、ユーザが体感する経験を高めることができるようにする技術に関する。
【背景技術】
【０００２】
一般的に、移動通信システムは、ユーザの活動性を保障しながら音声サービスを提供するために開発された。しかし、移動通信システムは、次第に、音声だけでなく、データサービスまで領域を拡張しており、現在には、高速のデータサービスを提供することができる水準まで発展した。しかし、現在サービスが提供されている移動通信システムでは、資源の不足現象及びユーザがより一層高速のサービスを要求するので、さらに発展した移動通信システムが要求されている。
【０００３】
このような要求に応じて、次世代移動通信システムとして開発中の１つのシステムとして、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）でＬＴＥ（Ｌｏｎｇ  Ｔｅｒｍ  Ｅｖｏｌｕｔｉｏｎ）に対する規格作業が進行中にある。ＬＴＥは、最大１００Ｍｂｐｓ程度の転送速度を有する高速パケット基盤通信を具現する技術である。このために、さまざまな方案が論議されており、例えば、ネットワークの構造を簡単にして通信路上に位置するノードの数を低減する方案や、無線プロトコルを最大限無線チャネルに近接させる方案などがある。
【０００４】
一方、最近、既存の事業者網を介して通信サービスを受けることができる通信機能（以下、３ＧＰＰまたはＬＴＥ機能と称する）と無線ランに接続することができる機能を同時に搭載したユーザ端末が登場している。無線ランは、事業者網に連結され、事業者網サービスを提供するのに使用されるか、それとも、インターネット網に直接連結され、インターネットサービスを提供するのに使用されることができる。
【発明の概要】
【発明が解決しようとする課題】
【０００５】
本発明は、ユーザ端末に３ＧＰＰ通信機能に追加にＷｉＦｉ機能が搭載された場合、自動で無線ランをオンまたはオフする制御方法に関する。もし使用可能な無線ランがユーザの周囲にない場合に、無線ランがオンとされていれば、無線ランは、不要な動作を行うので、ユーザ端末のバッテリーを消耗するか、不要な演算を行い、性能の低下を起こすことができる。一方、もし、ユーザ周囲に接続可能な無線ランが存在するにもかかわらず、ユーザ端末のＷｉＦｉ機能がオフとされていれば、無線ランを使用することができない。
【課題を解決するための手段】
【０００６】
本発明の一実施形態による移動通信システムの移動性管理エンティティー（ｍｏｂｉｌｉｔｙ  ｍａｎａｇｅｍｅｎｔ  ｅｎｔｉｔｙ，ＭＭＥ）で端末のハンドオーバー支援方法は、基地局から前記端末がハンドオーバーされるセルの情報を含み、他の網へハンドオーバーするための第１メッセージを受信する段階と；前記第１メッセージを基盤に前記端末の位置関連情報を報告する第２メッセージをサーバーに転送する段階とを含む。
【０００７】
本発明の他の実施形態による移動通信システムの基地局で端末のハンドオーバー支援方法は、端末から前記端末のハンドオーバーのための第１メッセージを受信する段階と；前記第１メッセージを基盤に移動性管理エンティティー（ｍｏｂｉｌｉｔｙ  ｍａｎａｇｅｍｅｎｔ  ｅｎｔｉｔｙ，ＭＭＥ）に前記端末がハンドオーバーされるセルの情報を含み、他の網へハンドオーバーするための第２メッセージを転送する段階とを含み、前記第１メッセージを基盤に前記ＭＭＥがサーバーに前記端末の位置関連情報を報告する第３メッセージを転送することを特徴とする。
【０００８】
本発明の他の実施形態による移動通信システムで端末のハンドオーバーを支援する移動性管理エンティティー（ｍｏｂｉｌｉｔｙ  ｍａｎａｇｅｍｅｎｔ  ｅｎｔｉｔｙ，ＭＭＥ）は、基地局及びサーバーのうち少なくとも１つと信号を送受信する送受信部と；前記送受信部を制御し、前記基地局から前記端末がハンドオーバーされるセルの情報を含み、他の網へハンドオーバーするための第１メッセージを受信し、前記第１メッセージを基盤に前記端末の位置関連情報を報告する第２メッセージを前記サーバーに転送する制御部とを含む。
【０００９】
本発明のさらに他の実施形態による移動通信システムで端末のハンドオーバーを支援する基地局は、端末及び移動性管理エンティティー（ｍｏｂｉｌｉｔｙ  ｍａｎａｇｅｍｅｎｔ  ｅｎｔｉｔｙ，ＭＭＥ）のうち少なくとも１つと信号を送受信する送受信部と；前記送受信部を制御し、前記端末から前記端末のハンドオーバーのための第１メッセージを受信し、前記第１メッセージを基盤に前記ＭＭＥに前記端末がハンドオーバーされるセルの情報を含み、他の網へハンドオーバーするための第２メッセージを転送する制御部とを含み、前記第１メッセージを基盤に前記ＭＭＥがサーバーに前記端末の位置関連情報を報告する第３メッセージを転送することを特徴とする。
【００１０】
以下の詳細な説明を始める前に、この特許文書全体を通じて使用される特定の言葉及び熟語の定義を提示することが好ましい。用語「含む」、「構成する」及びこれらの派生語は、無制限の包含を意味する。用語「または」は、包含的であり、「及び／または」を意味する。熟語「〜と関係がある」、「〜と関連している」及びこれらの派生語は、含む、内部に含まれる、相互接続する、収容する、内部に収容される、接続する、結合する、容易に伝達することができる、連携する、交互に配置する、並列する、接する、束縛される、有する、性質を有する、その他同一のものを意味する。また、用語「コントローラー」は、少なくとも１つの作業を制御する装置、システムまたはそれの一部を意味し、そのような装置は、ハードウェア、ファームウェアまたはソフトウェアとして、あるいはこれらの少なくとも２個の任意の組合で具現されることができる。また、注意すべきことは、任意の特定のコントローラーに付随する機能は、中央に集中してもよく、あるいはローカルまたは遠隔に分散してもよいというものである。特定の言葉及び熟語の定義は、この特許文書全体を通じて規定され、当業者は、大部分の場合ではない場合にも、多数の場合に、そのような定義がそのように定義された言葉及び熟語の今後及び今までの使用に適用されることができるものと理解すべきである
【発明の効果】
【００１１】
本発明の実施形態による場合、３ＧＰＰ通信機能とＷｉＦｉ機能を同時搭載したユーザ端末で、ユーザ端末は、ユーザの位置や設定、パターンによって自動で無線ランをオンまたはオフすることによって、不要なバッテリー消耗や性能低下を防止し、また、接続可能な無線ランをあらかじめ探して接続することができる。
【図面の簡単な説明】
【００１２】
【図１】図１は、本発明の実施形態が適用され得る移動通信システムの構造を示す図である。
【図２】図２は、本発明の実施形態による無線ランカーバレッジと基地局のカーバレッジを示す図である。
【図３】図３は、本発明の実施形態による端末、基地局及び無線ランの間の信号送受信を示す図である。
【図４】図４は、本発明の実施形態による端末の動作を示す流れ図である。
【図５】図５は、本発明の他の実施形態による端末の動作を示す流れ図である。
【図６】図６は、本発明の他の実施形態による端末の動作を示す流れ図である。
【図７】図７は、本発明の他の実施形態による端末の動作を示す流れ図である。
【図８】図８は、本発明のさらに他の実施形態による端末の動作を示す流れ図である。
【図９Ａ】図９Ａ及び図９Ｂは、本発明の実施形態による端末のユーザーインターフェース（Ｕｓｅｒ  Ｉｎｔｅｒｆａｃｅ，ＵＩ）を示す図である。
【図９Ｂ】図９Ａ及び図９Ｂは、本発明の実施形態による端末のユーザーインターフェース（Ｕｓｅｒ  Ｉｎｔｅｒｆａｃｅ，ＵＩ）を示す図である。
【図１０】図１０は、本発明の実施形態による端末を示す図である。
【図１１】図１１は、本発明の実施形態によって１ｘＲＴＴ網にＳＲＶＣＣが進行されるとき、ユーザ端末の位置情報を提供する方法を示す図である。
【図１２】図１２は、本発明の他の実施形態によって１ｘＲＴＴ網にＳＲＶＣＣが進行されるとき、ユーザ端末の位置情報を提供する方法を示す図である。
【図１３】図１３は、本発明の他の実施形態によって１ｘＲＴＴ網にＳＲＶＣＣが進行されるとき、ユーザ端末の位置情報を提供する方法を示す図である。
【図１４】図１４は、本発明のさらに他の実施形態によって１ｘＲＴＴ網にＳＲＶＣＣが進行されるとき、ユーザ端末の位置情報を提供する方法を示す図である。
【発明を実施するための形態】
【００１３】
以下で図１〜図１４に関して説明されるように、本特許文書で本発明の原理を説明するために使用された多様な実施形態は、ただ例示の方法で解釈されなければならないし、発明の範囲を制限する方式で解釈されてはならない。当業者は、本発明の原理が任意の適切に配置された電子装置で具現されることができることを理解すべきである。
【００１４】
以下、本発明の実施形態を添付された図面を参照して詳細に説明する。
【００１５】
実施形態を説明するに際して、本発明の属する技術分野によく知られており、本発明と直接的に関連がない技術内容については、説明を省略する。これは、不要な説明を省略することによって、本発明の要旨を不明にせず、さらに明確に伝達するためである。
【００１６】
また、本発明を説明するに際して、無線ランは、ＷｉＦｉ，ＷＬＡＮ（Ｗｉｒｅｌｅｓｓ  ＬＡＮ）などと同一の意味として使用されることができる。
【００１７】
同様の理由で、添付の図面において、一部の構成要素は、誇張されるか、省略されるか、概略的に図示された。また、各構成要素のサイズは、実際サイズを反映するものではない。各図面において、同一または対応する構成要素には、同一の参照番号を付与した。
【００１８】
この際、処理流れ図の各ブロックと流れ図の組合は、コンピュータプログラムインストラクションによって行われることができることを理解することができる。これらコンピュータプログラムインストラクションは、汎用コンピュータ、特殊用コンピュータまたはその他プログラム可能なデータプロセッシング装備のプロセッサに搭載されることができるので、コンピュータまたはその他プログラム可能なデータプロセッシング装備のプロセッサを介して行われるそのインストラクションが流れ図ブロックで説明された機能を行う手段を生成するようになる。これらコンピュータプログラムインストラクションは、特定方式で機能を具現するためにコンピュータまたはその他プログラム可能なデータプロセッシング装備を志向することができるコンピュータ利用可能またはコンピュータ読み取り可能メモリに格納されることも可能なので、そのコンピュータ利用可能またはコンピュータ読み取り可能メモリーに格納されたインストラクションは、流れ図ブロックで説明された機能を行うインストラクション手段を内包する製造品目を生産することも可能である。コンピュータプログラムインストラクションは、コンピュータまたはその他プログラム可能なデータプロセッシング装備上に搭載されることも可能なので、コンピュータまたはその他プログラム可能なデータプロセッシング装備上で一連の動作段階が行われ、コンピュータで実行されるプロセスを生成し、コンピュータまたはその他プログラム可能なデータプロセッシング装備を行うインストラクションは、流れ図ブロックで説明された機能を行うための段階を提供することも可能である。
【００１９】
また、各ブロックは、特定された論理的機能を実行するための１つ以上の実行可能なインストラクションを含むモジュール、セグメントまたはコードの一部を示すことができる。また、複数の代替実行例では、ブロックで言及された機能が、手順を脱して発生することも可能であることを注目しなければならない。例えば、相次いで図示されている２つのブロックは、実質的に同時に行われることも可能であり、またはそのブロックが時々に該当する機能によって逆順に行われることも可能である。
【００２０】
この際、本実施形態において、使用される‘〜部’という用語は、ソフトウェアまたはＦＰＧＡまたはＡＳＩＣのようなハードウェア構成要素を意味し、‘〜部’は、任意の役目を行う。しかし、‘〜部’は、ソフトウェアまたはハードウェアに限定される意味ではない。‘〜部’は、アドレシングすることができる格納媒体にあるように構成されることもでき、１つまたはそれ以上のプロセッサを再生させるように構成されることもできる。したがって、一例として、‘〜部’は、ソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素と‘〜部’内で提供される機能は、さらに小さい数の構成要素及び‘〜部’に結合されるか、追加的な構成要素と‘〜部’にさらに分離することができる。だけでなく、構成要素及び‘〜部’は、デバイスまたは保安マルチメディアカード内の１つまたはそれ以上のＣＰＵを再生させるように具現されることもできる。
【００２１】
実施例全般の通信エンティティーは、それぞれ異なる通信エンティティーと信号を送受信するための送受信部、前記通信エンティティーに送受信される情報を格納することができる格納部及び前記送受信部を制御し、前記通信エンティティーの動作を制御する制御部を含むことができる。
【００２２】
下記で本発明の実施形態を説明するに際して、関連した公知機能または構成に対する具体的な説明が本発明の要旨を不明にすることができると判断される場合には、その詳細な説明を省略する。
【００２３】
また、本発明の実施形態を具体的に説明するに際して、基本的な３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＬＴＥシステム及び端末を主な対象とするが、本発明の実施形態は、類似の技術的背景及びシステム形態を有するその他の通信／コンピュータシステムにも、本発明の実施形態の範囲を大きく逸脱しない範囲で適用可能であり、これは、本発明の技術分野で熟練された技術的知識を有する者の判断で可能だろう。
【００２４】
また、実施形態の全般で使用されるＷｉＦｉまたは無線ランは、ＩＥＥＥ  ８０２．１１基盤の無線ラン連結と装置間の連結技術または装置を含む意味であることができる。また、本発明の実施形態は、記述された通信ネットワークにのみ適用されるものではなく、それぞれ異なる通信方法を使用するネットワークに接続することができる端末の制御全般で使用されることができる。
【００２５】
また、実施形態の全般でユーザ端末及び端末は、それぞれ混用されて使用されることができる。図１は、本発明の実施形態が適用されることができる移動通信システムの構造を示す図である。
【００２６】
図１を参照すれば、図示のように、ＬＴＥ移動通信システムの無線アクセスネットワークは、次世代基地局（Ｅｖｏｌｖｅｄ  Ｎｏｄｅ  Ｂ，ＥＵＴＲＡＮ、以下、ＥＮＢまたはＮｏｄｅ  Ｂという）とＭＭＥ（Ｍｏｂｉｌｉｔｙ  Ｍａｎａｇｅｍｅｎｔ  Ｅｎｔｉｔｙ）及びＳ−ＧＷ（Ｓｅｒｖｉｎｇ−Ｇａｔｅｗａｙ）１２０で構成される。ユーザ端末（Ｕｓｅｒ  Ｅｑｕｉｐｍｅｎｔ、以下、ＵＥという）１００は、ＥＮＢ及びＳ−ＧＷ  １２０、そしてＰ−ＧＷ（ＰＤＮ−Ｇａｔｅｗａｙ）１３０を介して外部ネットワークに接続する。
【００２７】
ｅＮＢは、ＵＭＴＳシステムの既存ノードＢに対応する。ｅＮＢは、ＵＥ  １００と無線チャネルで連結され、既存ノードＢより複雑な役目を行う。図１で、ｅＮＢは、３ＧＰＰ  Ａｃｃｅｓｓ  １１０ブロック内に含まれたものと仮定した。ｅＮＢまたはノードＢなどの基地局ノードは、周期的にシステム情報（Ｓｙｓｔｅｍ  Ｉｎｆｏｒｍａｔｉｏｎ）を転送し、このシステム情報ブロックには、セル（Ｃｅｌｌ）を区分することができる識別子（Ｃｅｌｌ  Ｉｄｅｎｔｉｔｙ）が含まれて転送されることができる。
【００２８】
ＬＴＥでは、インターネットプロトコルを介したＶｏＩＰ（Ｖｏｉｃｅ  ｏｖｅｒ  ＩＰ）のようなリアルタイムサービスを含めたすべてのユーザトラフィックが共用チャネル（ｓｈａｒｅｄ  ｃｈａｎｎｅｌ）を介してサービスされるので、ＵＥの状況情報を取集めてスケジューリングをする装置が必要であり、これをｅＮＢが担当することができる。
【００２９】
Ｓ−ＧＷ  １２０は、データベアラーを提供する装置であり、移動性管理エンティティー（Ｍｏｂｉｌｉｔｙ  Ｍａｎａｇｅｍｅｎｔ  Ｅｎｔｉｔｙ，ＭＭＥ）の制御によってデータベアラーを生成するかまたは除去することができる。
【００３０】
前記ＭＭＥは、各種制御機能を担当する装置であって、１つのＭＭＥは、多数の基地局と連結されることができる。
【００３１】
ＰＣＲＦ  １４０は、ＱｏＳ及び課金と関連した政策（ｐｏｌｉｃｙ）を制御する装置である。
【００３２】
図示したように、移動通信システムは、ＬＴＥのような３ＧＰＰアクセス網（または、第１無線ネットワーク、以下、混用して使用する）だけでなく、ＷｉＦｉ，ＷｉＭＡＸ，ＣＤＭＡ２０００のようなＮｏｎ−３ＧＰＰアクセス網１４５（Ｅｖｏｌｖｅｄ  Ｐａｃｋｅｔ  Ｄａｔａ  Ｇａｔｅｗａｙとして言及されることができる、または、第２無線ネットワーク、以下、混用して使用する）を利用して接続してもよい。ＷｉＦｉは、移動通信システムに連結されず、すぐインターネット網に連結され、ユーザ端末とインターネット間のデータを送受信する通路として使用されてもよい。
【００３３】
以下、図面を利用して本発明の実施形態を説明する。図面は、本発明の実施形態に対する理解を助けるための道具であり、本発明の主な要旨は、図面の一部分が省略されるか、一部が追加される場合についても適用されることができる。
【００３４】
本発明の実施形態は、ユーザ端末に３ＧＰＰ通信機能に追加的に非３ＧＰＰ（例示的にＷｉＦｉ）機能が搭載された場合、自動で非３ＧＰＰ通信網と通信することができる装置（例示的にＷｉＦｉ）をオンまたはオフする制御方法に関する。もし使用可能な無線ランがユーザ周囲にない場合に、ＷｉＦｉがオンとされていれば、ＷｉＦｉは、不要な動作をするので、ユーザ端末のバッテリーを消耗するか、不要な演算を行い、性能低下を起こすことができる。ここで、ＷｉＦｉの動作や演算というのは、多数の無線ランチャネルを移動しながら無線ランＡＰ（Ａｃｃｅｓｓ  Ｐｏｉｎｔ）が転送するＢｅａｃｏｎメッセージを受信するか、Ｐｒｏｂｅメッセージを転送する過程とこれらメッセージを送受信するためのデータ処理過程を含む。一方、もしユーザの周囲に接続可能な無線ランが存在するにもかからわらず、ユーザ端末のＷｉＦｉ機能がオフとされていれば、無線ランの使用が可能にもかかわらず、無線ランを使用することができない。
【００３５】
このようなユーザ不便を低減するために、本発明では、ユーザ位置または利用パターンを基盤に自動でＷｉＦｉ機能をオンまたはオフする制御方法を提案する。より具体的に、本発明の実施形態によれば、ユーザ端末は、ユーザが設定した特定の無線ラン（ここで、無線ランと言うのは、１つのＡｃｃｅｓｓ  Ｐｏｉｎｔであってもよく、多数のＡｃｃｅｓｓ  Ｐｏｉｎｔで構成されてもよい）と該無線ランの領域と重なる３ＧＰＰセルの情報を記録しておいて、この情報を基盤にＷｉＦｉ機能をオンまたはオフすることができる。
【００３６】
図２は、本発明の実施形態による無線ランカーバレッジと基地局のカーバレッジを示す図である。
【００３７】
図２に示されたように、もし、ユーザが特定の無線ラン（図面のＷＬＡＮ  Ａ）２１０に対して自動無線ラン制御機能を使用すると許容すれば、前記ユーザ端末は、前記無線ランのカーバレッジと重畳される３ＧＰＰのセル領域を探知し（図面の第１Ｃｅｌｌ  ２１５及び第２Ｃｅｌｌ  ２２０）、これらセル情報を無線ラン情報とともに格納しておく。もしユーザが移動し、相変らず前記無線ランＡ  ２１０の接続が可能であり、既存に格納されないセルが感知されれば、感知されたセル情報を追加する。
【００３８】
このような過程を通じて無線ランの領域と重畳された３ＧＰＰセルの情報を管理し、もしユーザが移動して前記無線ランにこれ以上接続が不可能であり、前記３ＧＰＰセルの領域を脱した場合、ＷｉＦｉ機能をオフする。また、無線ランがオフとされている場合、ユーザが移動して前記３ＧＰＰセル領域に入れば、ＷｉＦｉ機能をオンし、格納された前記無線ランが存在するかを優先的に検索して接続する。
【００３９】
本発明の一実施形態によれば、ユーザ端末は、ユーザの設定に自動でＷｉＦｉ機能をオンまたはオフする動作を行うことができる。一例を提示すれば、ユーザがＷｉＦｉ機能の使用可否を端末の制御によって行うことができるように設定することができる場合を仮定すれば、このために、ユーザ端末は、ユーザに設定窓を開いて、ＷｉＦｉ自動制御機能を使用すべきかを問い合わせし、ユーザが選択した結果（許容または不許）を格納することができる。また、特定のユーザ端末具現では、ユーザが設定することができるＷｉＦｉ機能が（ＷｉＦｉオン、ＷｉＦｉオフ、ＷｉＦｉ自動制御）３種類のうち１つ以上を含むことができる。ユーザがＷｉＦｉオンまたはＷｉＦｉオフを選択した場合、ＷｉＦｉ自動制御機能は動作しない。もしユーザがＷｉＦｉ自動制御を選択した場合に限って、前記説明したＷｉＦｉ自動オン／オフ制御機能が適用されることができる。また、実施形態によってこのような設定なしに端末の制御によってＷｉＦｉモジュール使用可否を決定することができる。
【００４０】
本発明の一実施形態によってＷｉＦｉ自動制御機能を適用するための情報を収集し格納する過程を説明する。
【００４１】
実施形態において、ユーザ端末は、接続されている無線ランに対してＷｉＦｉ自動制御機能を適用するか否かをユーザの設定によって決定することができる。他の実施形態の場合、ユーザは、設定画面を介して、現在接続されている無線ランに対してＷｉＦｉ自動制御機能を適用すべきかを設定することができる。
【００４２】
もしＷｉＦｉ自動制御機能が許容された場合、ユーザ端末は、無線ラン情報と３ＧＰＰ通信機能を介して受信したセル識別子を一緒に格納することができる。ここで、無線ラン情報は、無線ランの識別子（ＳＳＩＤ，ＢＳＳＩＤ，ＥＳＳＩＤなど）、無線ラン接続時に使用された認証情報（ＩＤ，ｐａｓｓｗｏｒｄ，ｋｅｙなど）、無線ランが動作する周波数やチャネル番号、そして無線ランの形態（８０２．１１ａまたは８０２．１１ｇ）のうち少なくとも１つ以上であることができる。また、実施形態において、ユーザ端末は、３ＧＰＰ通信機能を行うことによって、基地局と通信で受信したＣｅｌｌ  ＩＤと前記ＷｉＦｉ接続情報を一緒に格納することができる。したがって、前記端末が現在通信を行うＣｅｌｌ  ＩＤを基盤に無線ラン接続と関連したモジュール（ＷｉＦｉモジュール）の機能の動作可否を決定することができる。
【００４３】
また、実施形態において、ユーザ端末は、ユーザが好むＷＬＡＮと同じ位置にあるセルのＣｅｌｌ  ＩＤを追加して格納することができ、端末が前記Ｃｅｌｌ  ＩＤを有するセルに位置する場合、前記ＷＬＡＮと接続を行うことができる。
【００４４】
図３は、本発明の実施形態による端末、基地局及び無線ラン間の信号送受信を示す図である。より具体的に、図３は、セル識別子を受信してＷｉＦｉ自動制御のために格納する過程を示す。
【００４５】
図３を参照すれば、ユーザ端末３０２、基地局３０４及びＷＬＡＮ  ３０６のうち１つ以上が他のエンティティーと信号を送受信できる。
【００４６】
ユーザ端末３０２は、３ＧＰＰセル（Ｅ−ＵＴＲＡＮ，ＵＴＲＡＮ，ＧＥＲＡＮなど）にｃａｍｐｉｎｇをするか、連結状態で段階３１０を介して基地局３０４からシステム情報を受信することができる。ユーザ端末３０２は、前記システム情報を介してセルの識別子を把握することかできる。また、前記端末３０２は、段階３１５で前記システム情報を基盤にキャンピングするセルのＣｅｌｌ  ＩＤを格納することができる。このようにＣｅｌｌ  ＩＤを格納することによって、ユーザ端末３０２は、自分の位置を前記Ｃｅｌｌ  ＩＤを基盤に判断することができる。
【００４７】
段階３２０で、ユーザ端末３０２は、ＷＬＡＮ  ３０６と連結を行うことができる。
【００４８】
段階３２５で、ユーザがユーザ端末３０２のＷｉＦｉ機能をオンとしておいた状態で特定の無線ランに接続し、ユーザが当該無線ランをＷｉＦｉ自動制御対象無線ラン（図面ではＰｒｅｆｅｒｒｅｄ  ＷＬＡＮで表現される）として設定すれば、段階３３０で、前記端末は、前記無線ランをＷｉＦｉ自動制御対象無線ランリストに追加し、受信した３ＧＰＰセル識別子を一緒に格納する。
【００４９】
より具体的に、ユーザ端末３０２は、ＷＬＡＮ  ３０６の識別子とＷＬＡＮ  ３０６と接続した当時、キャンピングしたセルのＣｅｌｌ  ＩＤを格納することによって、前記格納されたＣｅｌｌ  ＩＤによってＷＬＡＮ  ３０６の接続可否を決定することができる。
【００５０】
前述したように、この際、無線ランの識別子（ＳＳＩＤ，ＢＳＳＩＤ，ＥＳＳＩＤなど）、無線ラン接続時に使用された認証情報（ＩＤ，ｐａｓｓｗｏｒｄ，ｋｅｙなど）、無線ランが動作する周波数やチャネル番号、そして無線ランの形態（８０２．１１ａまたは８０２．１１ｇ）のうち少なくとも１つ以上の情報を一緒に格納することができる。前記説明は、本発明の主な要旨を説明するための過程の１つの流れに過ぎず、各過程の要素動作は、互いに手順が変わって行われてもよい。すなわち、本発明の実施形態によれば、ＷｉＦｉ自動制御無線ランは、次の情報で表現されることができる。
□自動制御無線ランの識別子（ＳＳＩＤ，ＢＳＳＩＤ，ＥＳＳＩＤなど）
□無線ランの領域と重畳される３ＧＰＰセルの識別子リスト
□無線ラン接続関連情報
□認証情報（ＩＤ，ｐａｓｓｗｏｒｄ，ｋｅｙなど）
□無線ランが動作する周波数またはチャネル情報
□無線ランのｔｙｐｅ（８０２．１１ａ／ｂ／ｇなど）
□無線ランをオフしてはならない３ＧＰＰセルの識別子リスト
【００５１】
なお、もしＷｉＦｉ自動制御機能が活性化されており、ＷｉＦｉ自動制御無線ランが１つ以上存在する場合には、格納されたＷｉＦｉ自動制御無線ラン情報に基盤してＷｉＦｉ機能を制御することができる。もしＷｉＦｉ機能がオフとされているが、ユーザの移動によってＷｉＦｉ自動制御無線ラン情報に含まれた３ＧＰＰセルが感知された場合、周辺にＷｉＦｉ自動制御無線ランが存在する可能性が高いので、ＷｉＦｉ機能をオンとすることができる。また、先立って言及したＷｉＦｉ格納情報を基盤に特定識別子を有する無線ランを検索するか、特定の周波数／チャネルを優先的にアクセスすることができる。また、認証過程が必要な場合、格納されたＩＤ，ｐａｓｓｗｏｒｄ，ｋｅｙなどを使用して認証を自動で進行してもよい。
【００５２】
なお、ＷｉＦｉ自動制御機能が活性化されている場合、ＷｉＦｉ自動制御無線ランを判断するときは、無線ランの識別子のうち１つ以上の組合を使用してもよい。例えば、ユーザは、ＭｙＨｏｍｅＷＬＡＮというＳＳＩＤを有する無線ランのうち特定のＭＡＣアドレス（ＢＳＳＩＤまたはＨＥＳＳＩＤ）を有するＡＰだけをＷｉＦｉ自動制御無線ランに含ませることもできる。このような互いに異なる種類の識別子の組合は、同一の単一識別子（例えば、２つの互いに異なるＡＰが同一のＳＳＩＤを使用する場合）を有する２つの無線ランが存在するとき、実際ユーザが使用することができる無線ラン１つだけを指称して自動制御を適用するためである。
【００５３】
図４は、本発明の実施形態による端末の動作を示す流れ図である。より具体的に、図４は、本発明の一実施形態によって、ＷｉＦｉ機能が非活性化されているが、格納された情報によってＷｉＦｉ機能を自動で活性化させる端末の動作を示す。
【００５４】
図４を参照すれば、段階４０５で、基地局からシステム情報を受信し、前記受信したシステム情報を基盤に接続されたセルのＣｅｌｌ  ＩＤを獲得することができる。より具体的に、ユーザ端末は、ｉｄｌｅ  ｍｏｄｅでは、キャンピングのためにＳＩＢを受信してＣｅｌｌ  ｉｄｅｎｔｉｔｙを抽出することができ、連結モードでも、自分が接続しているセルのｉｄｅｎｔｉｔｙを把握することができる。
【００５５】
段階４１０で、もし新しいセルが検出された場合（すなわち、ｉｄｌｅ  ｍｏｄｅ  ｍｏｂｉｌｉｔｙによって新しいセルにキャンピングするか、連結モードで新しいｃｅｌｌへｈａｎｄｏｖｅｒする場合）、段階４１５で、ユーザ端末は、次の条件中の１つ以上が満足されるかを判断することができる。
□ＷｉＦｉ自動制御機能が活性化されており、ＷｉＦｉ自動制御無線ランが１つ以上存在するか？
□現在端末のＷｉＦｉ機能が非活性状態であるか？
□格納されたＷｉＦｉ自動制御無線ラン情報のうち無線ランの領域と重畳される３ＧＰＰセルの識別子リストに新たに検出されたセル識別子が含まれているか？
【００５６】
ユーザ端末は、前記条件中の１つ以上が満足される場合、段階４２０で、前記端末は、現在ユーザ周辺にユーザが好む無線ランが存在すると予想することができ、したがって、ＷｉＦｉ機能を活性化させることができる。
【００５７】
また、段階４２５で、前記端末は、もしＷｉＦｉ自動制御無線ラン情報に無線ランの識別子（ＳＳＩＤ，ＢＳＳＩＤ，ＥＳＳＩＤなど）、無線ラン接続時に使用された認証情報（ＩＤ，ｐａｓｓｗｏｒｄ，ｋｅｙなど）、無線ランが動作する周波数やチャネル番号、そして無線ランの形態（８０２．１１ａまたは８０２．１１ｇ）のうち少なくとも１つ以上の情報が格納された場合、これらを利用して無線ラン検索／連結時間を短縮するか、認証を簡便化してもよい。一方、前記説明は、本発明の主な要旨を説明するための過程の１つの流れに過ぎず、各過程の要素動作は、互いに手順が変わって行われることもできる。
【００５８】
一方、先立って言及したように、もし無線ランがセルの境界にわたっている場合、１つの無線ランの領域と重畳されるセルが１つ以上であることができる。このような場合は、多数の無線ランＡＰが同一の無線ランを構成する場合（すなわち、多数のＡＰが同一の識別子を使用する場合に該当）には、さらに頻繁に現われることができる。もし無線ラン領域に重畳される３ＧＰＰセルが多数個である場合は、当該無線ラン連結が維持される状態（すなわち、無線ランからｂｅａｃｏｎを受信することができるか、ａｓｓｏｃｉａｔｉｏｎを維持することができるか、受信信号の強度が一定以上であるかなどの条件を満足）でＷｉＦｉ自動制御無線ラン情報に格納されない３ＧＰＰセルにｃａｍｐｉｎｇするか、連結される場合、当該セルの識別子をＷｉＦｉ自動制御無線ラン情報のうち無線ランの領域と重畳される３ＧＰＰセルの識別子リストに追加するものである。
【００５９】
図５は、本発明の他の実施形態による端末の動作を示す流れ図である。より具体的に、図５は、本発明の一実施形態によって３ＧＰＰセル識別子を特定ＷｉＦｉ自動制御無線ランに対する情報に追加する過程を示す。
【００６０】
図５を参照すれば、段階５０５で、基地局からシステム情報を受信し、前記受信したシステム情報を基盤に接続されたセルのＣｅｌｌ  ＩＤを獲得することができる。より具体的に、ユーザ端末は、ｉｄｌｅ  ｍｏｄｅでは、キャンピングのためにＳＩＢを受信してＣｅｌｌ  ｉｄｅｎｔｉｔｙを抽出することができ、連結モードでも、自分が接続しているセルのｉｄｅｎｔｉｔｙを把握することができる。もし段階５１０の判断結果、新しいセルが検出された場合（すなわち、ｉｄｌｅ  ｍｏｄｅ  ｍｏｂｉｌｉｔｙによって新しいセルにキャンピングするか、連結モードで新しいセルへハンドオーバーする場合）、ユーザ端末は、段階５１５で、次の条件中の１つ以上が満足されるかを検査する。
□ＷｉＦｉ自動制御機能が活性化されており、ＷｉＦｉ自動制御無線ランが１つ以上存在するか？
□現在１つの無線ランに接続（ａｓｓｏｃｉａｔｉｏｎ）が維持されているか？
□現在接続された無線ランがＷｉＦｉ自動制御無線ランに含まれているか？
【００６１】
ユーザ端末は、前記条件中の１つ以上が満足されれば、現在ユーザ周辺にユーザが好む無線ランが存在すると予想することができ、段階５２０で、前記ユーザ端末は、検出された新しいセル識別子がＷｉＦｉ自動制御無線ラン情報に含まれているかどうかを確認する。もし新しいセル識別子がＷｉＦｉ自動制御無線ラン情報に含まれていなければ、これは、現在好む無線ランの領域と重畳される３ＧＰＰセルが追加されなければならないことを意味するので、段階５２５で、前記ユーザ端末は、このセル識別子をＷｉＦｉ自動制御無線ラン情報のうち無線ランの領域と重畳される３ＧＰＰセルの識別子リストに追加する。一方、前記説明は、本発明の主な要旨を説明するための過程の１つの流れに過ぎず、各過程の要素動作は、互いに手順が変わって行われることもできる。
【００６２】
一方、本発明の一実施形態によれば、ユーザ端末は、ＷｉＦｉ自動制御機能が活性化された場合、ＷｉＦｉ自動制御無線ランが存在すると予想される３ＧＰＰセル領域を脱すれば、自動でＷｉＦｉ機能を非活性化させることができる。
【００６３】
図６は、本発明の他の実施形態による端末の動作を示す流れ図である。より具体的に、図６は、本発明の一実施形態によって自動でＷｉＦｉ機能を非活性化する動作を示す図である。
【００６４】
図６を参照すれば、段階６０５で、基地局からシステム情報を受信し、前記受信したシステム情報を基盤に接続されたセルのＣｅｌｌ  ＩＤを獲得することができる。より具体的に、ユーザ端末は、ｉｄｌｅ  ｍｏｄｅでは、キャンピングのためにＳＩＢを受信して、Ｃｅｌｌ  iｄｅｎｔｉｔｙを抽出することができ、連結モードでも、自分が接続しているセルのｉｄｅｎｔｉｔｙを把握することができる。
【００６５】
もし段階６１０で新しいセルが検出された場合（すなわち、ｉｄｌｅ  ｍｏｄｅ  ｍｏｂｉｌｉｔｙによって新しいセルにキャンピングするか、連結モードで新しいセルへハンドオーバーする場合）、ユーザ端末は、次の条件中の１つ以上が満足されるかを検査する。
□ＷｉＦｉ自動制御機能が活性化されているか？
□現在格納されたすべてのＷｉＦｉ自動制御無線ランに接続が不可能であるか？
□検出された新しいセル識別子が格納されたＷｉＦｉ自動制御無線ランに対する無線ランの領域と重畳される３ＧＰＰセルの識別子リストに含まれていないか？
【００６６】
ユーザ端末は、前記条件中の１つ以上が満足されれば、現在ユーザの周辺にユーザが好む無線ランが存在しないと予想することができ、段階６２０で、前記ユーザ端末は、ＷｉＦｉ機能を非活性化させることができる。一方、前記説明は、本発明の主な要旨を説明するための過程の１つの流れに過ぎず、各過程の要素動作は、互いに手順が変わって行われてもよい。
【００６７】
一方、ユーザ端末がサービスを受けている事業者網が多数のＲＡＴ（Ｒａｄｉｏ  Ａｃｃｅｓｓ  Ｔｅｃｈｎｏｌｏｇｙ）で構成された場合があり得る。より具体的に、ＬＴＥ（Ｅ−ＵＴＲＡＮ）サービスを提供する事業者網の音声通話や陰影地域を解消するためにＧＥＲＡＮまたはＵＴＲＡＮに基盤した２Ｇ／３Ｇ  ｌｅｇａｃｙ網を重畳して使用することができる。例えば、ＬＴＥでデータサービスを提供する事業者は、ユーザに音声通話サービスが発生すれば、ユーザ端末を一時的に２Ｇや３Ｇ網に移動させてサービスを受けるようにすることができる。もしＷｉＦｉ自動制御機能が活性化された場合、このような一時的ＲＡＴ変更でＷｉＦｉ接続が断絶されば、ユーザ体感サービス品質が低下することができる。したがって、本発明の一実施形態で、ユーザ端末は、ＷｉＦｉ自動制御機能が活性化されており、事業者網が多数のＲＡＴで構成された場合、ＷｉＦｉ機能を自動で非活性化させなくてもよいセルの識別子リストを別に管理するようにする。すなわち、ユーザ端末は、ＷｉＦｉ自動制御機能が活性化されており、ＷｉＦｉ自動制御無線ランに接続中であり、一時的に重畳された２次ＲＡＴのセルに移動する場合、ＷｉＦｉ機能を非活性させない。
【００６８】
事業者網を構成する多数のＲＡＴのうちどれが１次ＲＡＴであり、２次ＲＡＴであるかは設定可能である。例えば一般的なＬＴＥ端末の場合、１次ＲＡＴをＬＴＥに設定し、２次ＲＡＴをＵＴＲＡＮやＧＥＲＡＮに設定することができる。１次ＲＡＴのセル識別子は、前述したＷｉＦｉ自動制御無線ラン情報のうち無線ランの領域と重畳される３ＧＰＰセルの識別子リストに含まれることができ、このリストを基盤にＷｉＦｉ機能を活性化するか、非活性化することができる。２次ＲＡＴのセル識別子は、前述したＷｉＦｉ自動制御無線ラン情報のうち無線ランをオフとしてはならない３ＧＰＰセルの識別子リストに含まれることができ、ユーザ端末は、このｌｉｓｔに含まれたセルに移動した場合には、ＷｉＦｉ機能を非活性化しなくてもよい。
【００６９】
図７は、本発明の他の実施形態による端末の動作を示す流れ図である。より具体的に、図７は、本発明の一実施形態によってユーザ端末が２次ＲＡＴのセルを検出した場合、検出されたセルを無線ランをオフとしてはならない３ＧＰＰセルの識別子リストに含む動作を示す図である。
【００７０】
図７を参照すれば、段階７０５で、基地局からシステム情報を受信し、前記受信したシステム情報を基盤に接続されたセルのＣｅｌｌ  ＩＤを獲得することができる。より具体的に、ユーザ端末は、ｉｄｌｅ  ｍｏｄｅでは、キャンピングのために２次ＲＡＴのＳＩＢを受信し、Ｃｅｌｌ  ｉｄｅｎｔｉｔｙを抽出することができ、連結モードでも自分が接続している２次ＲＡＴセルのｉｄｅｎｔｉｔｙを把握することができる。
【００７１】
実施形態において、ユーザ端末が２次ＲＡＴに移動する場合は、ユーザが直接ＲＡＴの選択優先順位を変更する場合、事業者網でユーザ端末に対するＲＡＴ優先順位を変更する場合及びＣＳＦＢ（ＣＳ  Ｆａｌｌｂａｃｋ）やハンドオーバーなどを理由で基地局から命令を受けた場合のうち１つ以上を含むことができる。
【００７２】
もし段階７１０で新しいセルが検出された場合（すなわち、ｉｄｌｅ  ｍｏｄｅ  ｍｏｂｉｌｉｔｙによって新しい２次ＲＡＴのセルにキャンピングするか、連結モードで新しい２次ＲＡＴ  ｃｅｌｌへｈａｎｄｏｖｅｒする場合）、段階７１５で、ユーザ端末は、次の条件中の１つ以上が満足されるかを検査する。
□ＷｉＦｉ自動制御機能が活性化されているか？
□ＷｉＦｉ自動制御無線ランのうち１つに連結されているか？
【００７３】
ユーザ端末は、前記条件中の１つ以上が満足されれば、段階７２０で検出された２次ＲＡＴのセル識別子がＷｉＦｉ自動制御無線ラン情報のうち無線ランをオフとしてはならない３ＧＰＰセルの識別子リストに含まれているかを検査する。もし含まれていなければ、ユーザ周辺にＷｉＦｉ自動制御無線ラン周辺に一時的に接続可能な２次ＲＡＴセルが存在し、このセルでは、ＷｉＦｉ機能を非活性化しないことが好ましいことが分かる。したがって、段階７２５で検出された２次ＲＡＴセルをＷｉＦｉ自動制御無線ラン情報のうち無線ランをオフとしてはならない３ＧＰＰセルの識別子リストに含ませる。一方、前記説明は、本発明の主な要旨を説明するための過程の１つの流れに過ぎず、各過程の要素動作は、互いに手順が変わって行われることもできる。
【００７４】
図８は、本発明のさらに他の実施形態による端末の動作を示す流れ図である。より具体的に、図８は、本発明の一実施形態によってユーザ端末が２次ＲＡＴのセルに移動したとき、ＷｉＦｉ機能を制御する動作を示す図である。
【００７５】
さらに図８を参照すれば、段階８０５で、基地局からシステム情報を受信し、前記受信したシステム情報を基盤に接続されたセルのＣｅｌｌ  ＩＤを獲得することができる。より具体的に、ユーザ端末は、ｉｄｌｅ  ｍｏｄｅではキャンピングのために２次ＲＡＴのＳＩＢを受信してＣｅｌｌ  ｉｄｅｎｔｉｔｙを抽出することができ、連結モードでも自分が接続している２次ＲＡＴセルのｉｄｅｎｔｉｔｙを把握することができる。ユーザ端末が２次ＲＡＴに移動する場合は、ユーザが直接ＲＡＴの選択優先順位を変更する場合、事業者網でユーザ端末に対するＲＡＴ優先順位を変更する場合及びＣＳＦＢ（ＣＳ  Ｆａｌｌｂａｃｋ）やハンドオーバーなどを理由で基地局から命令を受けた場合のうち１つ以上を含むことができる。
【００７６】
もし段階８１０で判断した結果、新しいセルが検出された場合（すなわち、ｉｄｌｅ  ｍｏｄｅ  ｍｏｂｉｌｉｔｙによって新しい２次ＲＡＴのセルにキャンピングするか、連結モードで新しい２次ＲＡＴ  ｃｅｌｌへｈａｎｄｏｖｅｒする場合）、段階８１５で、ユーザ端末は、次の条件中の１つ以上が満足されるかを検査する。
□ＷｉＦｉ自動制御機能が活性化されているか？
□ＷｉＦｉ自動制御無線ランのうち１つに連結されているか？
□検出されたセル識別子がＷｉＦｉ自動制御無線ラン情報のうち無線ランをオフとしてはならない３ＧＰＰセルの識別子リストに含まれているか？
【００７７】
もし前記条件がすべて満足されなければ（すなわち１つ以上の条件が満足されなければ）、段階８２０で、ユーザ端末は、これ以上ＷｉＦｉ機能を活性化させる必要がないと判断し、ＷｉＦｉ機能を非活性化させることができる。なお、前記説明は、本発明の主な要旨を説明するための過程の１つの流れに過ぎず、各過程の要素動作は、互いに手順が変わって行われることもできる。
【００７８】
図９は、本発明の実施形態による端末のユーザーインターフェース（Ｕｓｅｒ  Ｉｎｔｅｒｆａｃｅ，ＵＩ）を示す図である。
【００７９】
図９を参照すれば、実施形態の端末は、表示部９００に端末の動作と関連した状態を表示することができる。より具体的に、図９の（ａ）を参照すれば、ユーザは、端末のＷｉＦｉと関連した接続モードを設定することができる。識別番号９１０に表示されたモードのうち１つを選択すれば、端末は、前記選択されたモードによって動作を行うことができる。より具体的に、Ｏｎモードの場合、端末は、周辺の接続可能なＷＬＡＮに常に接続試みをする。また、Ｏｆｆモードの場合、前記ユーザ端末は、ＷｉＦｉと関連した動作モジュールを行わないことがある。また、自動制御モードの場合、前記端末の判断によって前記端末が特定位置（物理的または論理的）位置にある場合、ＷｉＦｉ機能の活性化／非活性化の可否を判断することができる。より具体的に、ユーザが格納した特定位置にある場合、前記端末は、ＷｉＦｉ接続可否を判断するか、または関連動作を行うことができる。前記位置は、一例によって前記端末が接続した基地局から獲得したＣｅｌｌ  ＩＤによって判断することができる。また、前記端末は、特定Ｃｅｌｌ  ＩＤと通信が可能な場合、連結するＷＬＡＮのリスト、連結しないＷＬＡＮのリスト及び連結中のＷＬＡＮの連結を解除しないリスト中の１つ以上をそれぞれまたは統合的に格納することができる。
【００８０】
さらに図９（ｂ）を参照すれば、表示部９００にユーザが好むＷｉＦｉリストを表示することができる。より具体的に、接続可能なＷＬＡＮのＩＤ  ９２０，９３０及びＷＬＡＮの詳細情報９２２，９３２を表示することができる。前記詳細情報は、接続可能なＷＬＡＮの通信モード、保安種類、使用するチャネル種類、ＩＰ値、ユーザＩＤ、パスワード及び接続実行した履歴中の１つ以上を含むことができる。
【００８１】
また、前記ＷＬＡＮが接続した地域と関連した情報を表示することができ、実施形態のように地図の形式（識別番号９２４）で表示することができる。前記接続した地域と関連した情報は、前記端末の別途の位置識別モジュール及びセルとの接続履歴中の１つ以上を基盤に判断することができる。また、ＷＬＡＮから受信した位置情報を基盤に前記位置情報を格納することができる。前記位置情報をクリックする場合、より詳細な位置情報を表示することができる。
【００８２】
ユーザは、このように表示されるＷｉＦｉリストのうち特定ＷｉＦｉリストを選択して、自動制御を行う場合、接続するか、接続しないＷｉＦｉリストを選択することができる。
【００８３】
図１０は、本発明の実施形態による端末を示す図である。
【００８４】
図１０を参照すれば、実施形態の端末１０１０は、送受信部１０１５、入力部１０２０、位置感知部１０２５、制御部１０３０、格納部１０３５及び表示部１０４０のうち１つ以上を含むことができる。実施形態において、各部は、同一または別途のモジュールを介して具現されることができ、ハードウェア的またはソフトウェア的に対応する機能を行うことができる。
【００８５】
送受信部１０１５は、基地局または他のエンティティーと通信を行うことができる。より具体的に、基地局、ＷＬＡＮ及び他の端末中の１つ以上と信号を送受信することができる。
【００８６】
入力部１０２０は、ユーザ入力を受信することができる。より具体的に、タッチスクリーン、ボタン、マイク、タブレット及び近接照度センサーのうち１つ以上を含むことができる。実施形態において、ユーザの通信モード選択及びＷＬＡＮ選択入力のうち１つ以上が入力部１０２０を介して受信されることができる。
【００８７】
位置感知部１０２５は、端末の論理的及び物理的位置のうち１つ以上を感知することができる。より具体的に、基地局から受信されたＣｅｌｌ  ＩＤを基盤に端末の位置を判断することができる。また、ＧＰＳモジュールを含んで端末の絶対的位置を感知してもよい。また、他の端末、基地局及びＷＬＡＮのうち１つ以上と通信した内容を基盤に前記端末の位置を把握することができる。
【００８８】
制御部１０３０は、端末全般の動作を制御し、ユーザが設定した通信モード及びＷｉＦｉリスト中の１つ以上を基盤にＷＬＡＮに接続可否を決定することができ、リストにＷｉＦｉを追加することができる。また、実施形態全般の端末の動作と関連した事項を制御することができる。
【００８９】
格納部１０３５は、端末の動作と関連した情報を格納することができる。揮発性及び非揮発性メモリ中の１つ以上を含むことができ、通常的に使用可能なメモリ種類を含むことができる。
【００９０】
表示部１０４０は、端末の動作と関連した情報を視覚的に表示する装置を含むことができる。また、表示部１０４０は、ＬＣＤ，ＬＥＤ及びＡＭＯＬＥＤのようなディスプレイ媒体を介して具現されることができ、表示部１０４０の具現媒体は、実施形態の要旨と大きく関連していない。
【００９１】
もし、ユーザ端末機がＶｏＩＭＳサービスを提供される途中に、ＶｏＩＭＳサービスを支援することができる領域を脱すれば、呼を維持するために単一無線音声呼連結性（ＳｉｎｇｌｅＲａｄｉｏ  Ｖｏｉｃｅ  Ｃａｌｌ  Ｃｏｎｔｉｎｕｉｔｙ：ＳＲＶＣＣ、以下“ＳＲＶＣＣ”という）方式を適用して、前記ユーザ端末機をＣＳを支援するネットワークにスイッチングさせることができる。
【００９２】
もしユーザ端末がサービスを受けている領域でＣＳを支援するネットワーク（またはシステム）が１ｘＲＴＴ（またはＣＤＭＡ２０００基盤３ＧＰＰ２  １ｘＣＳを使用する類似網）の場合にも、ＳＲＶＣＣ方法が適用されることができる。もしＳＲＶＣＣが発生した場合、端末ユーザの位置を提供する位置サービス（Ｌｏｃａｔｉｏｎ  Ｓｅｒｖｉｃｅ）に対する持続性（ｃｏｎｔｉｎｕｉｔｙ）を提供する必要があり得る。
【００９３】
特に、もし現在進行中の呼が応急呼（Ｅｍｅｒｇｅｎｃｙ  Ｃａｌｌ）の場合、位置サービス提供及びこれに対する連続性提供は、事業者政策や地域／国家の規定によって支援されるとできる。
【００９４】
以下では、実施形態を通じて、Ｅ−ＵＴＲＡＮで３ＧＰＰ２  １ｘＣＳ（以下１ｘＲＴＴと同じ意味として使用される）網にＳＲＶＣＣが進行されるとき、位置サービス及び連続性提供のための方法を説明する。説明の便宜のために、ユーザ端末が応急呼を有する場合に対応して各通信エンティティーの間に前記位置情報を交換する方法を実施形態として説明するが、本発明の実施形態の適用範囲は、応急呼に限定されるものではなく、一般呼にも適用されることができる。
【００９５】
図１１は、本発明の実施形態によって１ｘＲＴＴ網にＳＲＶＣＣが進行されるとき、ユーザ端末の位置情報を提供する方法を示す図である。
【００９６】
図１１を参照すれば、ユーザ端末（端末、Ｕｓｅｒ  Ｅｑｕｉｐｍｅｎｔ，ＵＥ）１１０２、基地局（ＲＡＮ，Ｒａｄｉｏ  Ａｃｃｅｓｓ  Ｎｅｔｗｏｒｋ）１１０４、移動性管理エンティティー（Ｍｏｂｉｌｉｔｙ  Ｍａｎａｇｅｍｅｎｔ  Ｅｎｔｉｔｙ，ＭＭＥ）１１０６及びＧＭＬＣ（Ｇａｔｅｗａｙ  Ｍｏｂｉｌｅ  Ｌｏｃａｔｉｏｎ  Ｃｅｎｔｅｒ）１１０８のうち少なくとも２つのエンティティーの間で信号が送受信されることができる。また、基地局は、ユーザ端末がＥ−ＵＴＲＡＮを介してサービスを受ける場合、ｅＮＢであることができる。
【００９７】
段階１１１０で、ユーザ端末１１０２は、基地局１１０４と連結動作を行い、段階１１１５で、ユーザ端末１１０２は、連結モードで現在進行中のＩＭＳ  ＶｏＰＳ（Ｖｏｉｃｅ  ｏｖｅｒ  ＰＳ）呼、通常、ＶｏＬＴＥと称される呼を有している。実施形態において、前記ＩＭＳ  ＶｏＰＳ呼の場合、基地局１１０４の間に形成されることができ、また、進行中の呼は、応急呼であることができる。
【００９８】
段階１１２０で、基地局（ＲＡＮ）１１０４は、ユーザ端末１１０２と網の状態によってハンドオーバー（Ｈａｎｄｏｖｅｒ，ＨＯ）決定をすることができ、ユーザ端末１１０２がＩＭＳ  ＶｏＰＳ呼を有しており、ＨＯが発生する対象セルが１ｘＲＴＴセルの場合、ＳＲＶＣＣ過程のための動作を行うことができる。実施形態において、対象セルは、目的セルまたはターゲット（ｔａｒｇｅｔ）セルと称されることができる。
【００９９】
段階１１２５で、基地局１１０４は、１ｘＲＴＴ網にＳＲＶＣＣを始めるために、Ｈａｎｄｏｖｅｒ  ｆｒｏｍ  ＥＵＴＲＡ  Ｐｒｅｐａｒａｔｉｏｎ  Ｒｅｑｕｅｓｔを端末１１０２に転送することができる。実施形態において、上記Ｈａｎｄｏｖｅｒ  ｆｒｏｍ  ＥＵＴＲＡＰｒｅｐａｒａｔｉｏｎ  Ｒｅｑｕｅｓｔには、３Ｇ１ｘ  Ｏｖｅｒｈｅａｄ  ＰａｒａｍｅｔｅｒｓまたはＲＡＮＤ  ｖａｌｕｅのうち少なくとも１つが含まれることができる。
【０１００】
段階１１３０で、ユーザ端末１１０２は、これに対する応答として、ＵＬ  ｈａｎｄｏｖｅｒ  ｐｒｅｐａｒａｔｉｏｎ  Ｔｒａｎｓｆｅｒ  ｍｅｓｓａｇｅを基地局１１０４に転送することができる。実施形態において、前記ＵＬ  ｈａｎｄｏｖｅｒ  ｐｒｅｐａｒａｔｉｏｎＴｒａｎｓｆｅｒ  ｍｅｓｓａｇｅには、１ｘＲＴＴ  Ｏｒｉｇｉｎａｔｉｏｎ  ｍｅｓｓａｇｅが含まれることができ、端末１１０２と基地局１１０４の間に形成された呼が応急呼の場合には、ｅｍｅｒｇｅｎｃｙ  ｔｙｐｅを示す識別子またはＭＥＩＤ（Ｍｏｂｉｌｅ  Ｅｑｕｉｐｍｅｎｔ  Ｉｄｅｎｔｉｆｉｅｒ）（またはＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ））のうち少なくとも１つが含まれることができる。
【０１０１】
段階１１３５で、基地局１１０４は、ＭＭＥ  １１０６にＵｐｌｉｎｋ  Ｓ１  ｃｄｍａ２０００  Ｔｕｎｎｅｌｉｎｇメッセージを転送することができる。実施形態において、前記Ｕｐｌｉｎｋ  Ｓ１  ｃｄｍａ２０００  Ｔｕｎｎｅｌｉｎｇメッセージには、端末１１０２から受信したＭＥＩＤ，ＲＡＮＤ，１ｘ  Ｏｒｉｇｉｎａｔｉｏｎ情報またはＳＲＶＣＣ動作の対象になる１ｘＲＴＴセルのＲｅｆｅｒｅｎｃｅ  Ｃｅｌｌ  ＩＤのうち少なくとも１つ以上が含まれることができ、また、１ｘＲＴＴ網へのＨＯ動作が準備中であることをＭＭＥ  １１０６に通知するためにＣＤＭＡ２０００  ＨＯ  Ｒｅｑｕｉｒｅｄ  Ｉｎｄｉｃａｔｉｏｎ  ＩＥを含むことができる。実施形態において、基地局１１０４がＭＭＥ１１０６に伝達するＲｅｆｅｒｅｎｃｅ  Ｃｅｌｌ  ＩＤは、ＭＳＣＩＤとＣｅｌｌ／Ｓｅｃｔｏｒ情報を含むことができ、ＭＳＣＩＤは、ＭＳＣ（Ｍｏｂｉｌｅ  Ｓｗｉｔｃｈｉｎｇ  Ｃｅｎｔｅｒ）の識別子としてＭａｒｋｅｔ  ＩＤまたはＳｗｉｔｃｈ  Ｎｕｍｂｅｒを含むことができ、Ｃｅｌｌ／Ｓｅｃｔｏｒ情報は、Ｃｅｌｌ識別子またはＳｅｃｔｏｒの番号を含むことができる。
【０１０２】
段階１１４０及び段階１１４５で、ＭＭＥ  １１０６は、基地局１１０４から受信した情報を利用してＳＲＶＣＣ過程を行うことができる。また、実施形態において、ＭＭＥ  １１０６は、Ｒｅｆｅｒｅｎｃｅ  Ｃｅｌｌ  ＩＤ情報を格納し、位置サービス及び連続性支援のために使用することができる。
【０１０３】
段階１１５０で、ＭＭＥ  １１０６は、加入者位置レポートのためのメッセージをＧＭＬＣ  １１０８に転送することができる。より具体的に、ハンドオーバーが完了し、Ｅ−ＵＴＲＡＮ網で制御平面（Ｃｏｎｔｒｏｌ  Ｐｌａｎｅ）方法が使用される場合、ＭＭＥ  １１０６は、位置サービス及び連続性提供のために加入者位置レポートのためのメッセージをＧＭＬＣ  １１０８に転送することができる。実施形態において、前記加入者位置レポートのためのメッセージは、Ｐｒｏｖｉｄｅ  Ｌｏｃａｔｉｏｎ  Ａｎｓｗｅｒメッセージであることができる。
【０１０４】
前記ＧＭＣＬ  １１０８に転送されるメッセージは、ユーザ端末１１０２識別子またはＭＭＥ１１０６が基地局１１０４から受信して格納されたＲｅｆｅｒｅｎｃｅ  Ｃｅｌｌ  ＩＤのうち少なくとも１つを含むことができる。
【０１０５】
また、実施形態において、この情報は、前記ＭＭＥ  １１０６がＧＭＬＣ  １１０８に転送するメッセージ、例えばＰｒｏｖｉｄｅ  Ｌｏｃａｔｉｏｎ  Ａｎｓｗｅｒメッセージの１つのＡＶＰの形態で含まれることができ、また、Ｓｅｒｖｉｎｇ−Ｎｏｄｅ  ＡＶＰやＳｅｒｖｉｃｅ−Ａｒｅａ−Ｉｄｅｎｔｉｔｙ  ＡＶＰの１つとして含まれることができる。より具体的に、ＭＭＥ  １１０６がＧＭＬＣ  １１０８に転送するＰｒｏｖｉｄｅ  Ｌｏｃａｔｉｏｎ  Ａｎｓｗｅｒに含まれるＳｅｒｖｉｎｇ−Ｎｏｄｅ  ＡＶＰまたはＳｅｒｖｉｃｅ−Ａｒｅａ−Ｉｄｅｎｔｉｔｙ  ＡＶＰは、Ｒｅｆｅｒｅｎｃｅ  Ｃｅｌｌ  ＩＤを含むことができる。
【０１０６】
このメッセージの転送過程及びこのメッセージによって発生する以後ＧＭＬＣ  １１０８の位置連続性提供過程は、実施形態において、ＨＯされた呼が応急呼の場合に限って選択的に適用されてもよい。
【０１０７】
実施形態の段階１１５５のように、ＧＭＬＣ  １１０８は、ＭＭＥ  １１０６から受信したＲｅｆｅｒｅｎｃｅ  Ｃｅｌｌ  ＩＤを格納し、これを利用して位置連続性を支援することができ、これを介して１ｘＲＴＴ網でも位置連続性が可能であることができる。
【０１０８】
図１２は、本発明の他の実施形態によって１ｘＲＴＴ網にＳＲＶＣＣが進行されるとき、ユーザ端末の位置情報を提供する方法を示す図である。
【０１０９】
図１２を参照すれば、ユーザ端末（端末、Ｕｓｅｒ  Ｅｑｕｉｐｍｅｎｔ，ＵＥ）１２０２、基地局（ＲＡＮ，Ｒａｄｉｏ  Ａｃｃｅｓｓ  Ｎｅｔｗｏｒｋ）１２０４、移動性管理エンティティー（Ｍｏｂｉｌｉｔｙ  Ｍａｎａｇｅｍｅｎｔ  Ｅｎｔｉｔｙ，ＭＭＥ）１２０６及びＧＭＬＣ（Ｇａｔｅｗａｙ  Ｍｏｂｉｌｅ  Ｌｏｃａｔｉｏｎ  Ｃｅｎｔｅｒ）１２０８のうち少なくとも２つのエンティティーの間で信号が送受信されることができる。また、基地局は、ユーザ端末がＥ−ＵＴＲＡＮを介してサービスを受ける場合、ｅＮＢであることができる。
【０１１０】
段階１２１０で、ユーザ端末１２０２は、基地局１２０４と連結動作を行い、段階１２１５で、ユーザ端末１２０２は、連結モードで現在進行中のＩＭＳ  ＶｏＰＳ（Ｖｏｉｃｅ  ｏｖｅｒ  ＰＳ）呼、通常、ＶｏＬＴＥと称える呼を有している。実施形態において、前記ＩＭＳ  ＶｏＰＳ呼の場合、基地局１２０４の間に形成されることができ、また、進行中の呼は、応急 呼であることができる。
【０１１１】
段階１２２０で、基地局（ＲＡＮ）１２０４は、ユーザ端末１２０２と網の状態によってＨＯ決定を行うことができ、ユーザ端末１２０２がＩＭＳ  ＶｏＰＳ呼を有しており、ＨＯが発生する対象セルが１ｘＲＴＴセルの場合、ＳＲＶＣＣ過程のための動作を行うことができる。
【０１１２】
段階１２２５で、基地局１２０４は、１ｘＲＴＴ網にＳＲＶＣＣを始めるために、Ｈａｎｄｏｖｅｒ  ｆｒｏｍ  ＥＵＴＲＡ  Ｐｒｅｐａｒａｔｉｏｎ  Ｒｅｑｕｅｓｔを端末１２０２に転送することができる。実施形態において、前記Ｈａｎｄｏｖｅｒ  ｆｒｏｍ  ＥＵＴＲＡＰｒｅｐａｒａｔｉｏｎ  Ｒｅｑｕｅｓｔには、３Ｇ１ｘ  Ｏｖｅｒｈｅａｄ  ＰａｒａｍｅｔｅｒｓまたはＲＡＮＤ  ｖａｌｕｅのうち少なくとも１つが含まれることができる。
【０１１３】
段階１２３０で、ユーザ端末１２０２は、これに対する応答としてＵＬ  ｈａｎｄｏｖｅｒｐｒｅｐａｒａｔｉｏｎ  Ｔｒａｎｓｆｅｒ  ｍｅｓｓａｇｅを基地局１２０４に転送することができる。実施形態において、前記ＵＬ  ｈａｎｄｏｖｅｒ  ｐｒｅｐａｒａｔｉｏｎ  Ｔｒａｎｓｆｅｒ  ｍｅｓｓａｇｅには、１ｘＲＴＴ  Ｏｒｉｇｉｎａｔｉｏｎ  ｍｅｓｓａｇｅが含まれることができ、端末１２０２と基地局１２０４の間に形成された呼が応急呼の場合には、ｅｍｅｒｇｅｎｃｙ  ｔｙｐｅを示す識別子またはＭＥＩＤ（またはＩＭＥＩ）のうち少なくとも１つが含まれることができる。
【０１１４】
段階１２３５で、基地局１２０４は、ＭＭＥ  １２０６にＵｐｌｉｎｋ  Ｓ１  ｃｄｍａ  ２０００  Ｔｕｎｎｅｌｉｎｇメッセージを転送することができる。実施形態において、前記Ｕｐｌｉｎｋ  Ｓ１  ｃｄｍａ２０００  Ｔｕｎｎｅｌｉｎｇメッセージには、端末１２０２から受信したＭＥＩＤ，ＲＡＮＤ，１ｘ  Ｏｒｉｇｉｎａｔｉｏｎ情報またはＳＲＶＣＣ動作の対象となる１ｘＲＴＴセルのＲｅｆｅｒｅｎｃｅ  Ｃｅｌｌ  ＩＤのうち少なくとも１つ以上が含まれることができ、また、１ｘＲＴＴ網へのＨＯ動作が準備中であることをＭＭＥ  １２０６に通知するために、ＣＤＭＡ２０００  ＨＯ  Ｒｅｑｕｉｒｅｄ  ＩｎｄｉｃａｔｉｏｎＩＥを含むことができる。実施形態において、基地局１２０４がＭＭＥ  １２０６に伝達するＲｅｆｅｒｅｎｃｅ  Ｃｅｌｌ  ＩＤは、ＭＳＣ  ＩＤまたはＣｅｌｌ／Ｓｅｃｔｏｒ情報のうち少なくとも１つを含むことができ、ＭＳＣＩＤは、ＭＳＣの識別子としてＭａｒｋｅｔ  ＩＤまたはＳｗｉｔｃｈ  Ｎｕｍｂｅｒのうち少なくとも１つを含むことができ、Ｃｅｌｌ／Ｓｅｃｔｏｒ情報は、Ｃｅｌｌ識別子またはＳｅｃｔｏｒの番号のうち少なくとも１つを含むことができる。
【０１１５】
段階１２４０及び段階１２４５で、ＭＭＥ  １２０６は、基地局１２０４から受信した情報を利用してＳＲＶＣＣ過程を行うことができる。また、実施形態において、ＭＭＥ  １２０６は、受信されたＲｅｆｅｒｅｎｃｅ  Ｃｅｌｌ  ＩＤ情報からＭＳＣＩＤ部分を抽出して格納することができる。ＭＭＥ  １２０６は、前記抽出されたＭＳＣＩＤを基盤に対象ＭＳＣを追跡して位置サービス及び連続性支援のために使用することができる。
【０１１６】
段階１２５０で、ＭＭＥ  １２０６は、加入者位置レポートのためのメッセージをＧＭＬＣ１２０８に転送することができる。より具体的に、もしハンドオーバーが完了し、Ｅ−ＵＴＲＡＮ網で制御平面（Ｃｏｎｔｒｏｌ  Ｐｌａｎｅ）方法が使用される場合、ＭＭＥ  １２０６は、位置サービス及び連続性提供のために加入者位置レポートのためのメッセージをＧＭＬＣ１２０８に転送することができる。実施形態において、前記加入者位置レポートのためのメッセージは、Ｐｒｏｖｉｄｅ  Ｌｏｃａｔｉｏｎ  Ａｎｓｗｅｒメッセージであることができる。実施形態において、Ｐｒｏｖｉｄｅ  Ｌｏｃａｔｉｏｎ  Ａｎｓｗｅｒメッセージには、ユーザ端末識別子または以前の過程でＭＭＥ  １２０６が基地局１２０４から受信したＲｅｆｅｒｅｎｃｅ  Ｃｅｌｌ  ＩＤから抽出されて格納されたＭＳＣＩＤのうち少なくとも１つが含まれることができる。
【０１１７】
実施形態において、ＭＳＣＩＤは、ＭＳＣの識別子でＭａｒｋｅｔ  ＩＤまたはＳｗｉｔｃｈ  Ｎｕｍｂｅｒのうち少なくとも１つを含むことができる。また、この情報は、ＭＭＥ  １２０６がＧＭＬＣ  １２０８に送るメッセージ、例えばＰｒｏｖｉｄｅ  Ｌｏｃａｔｉｏｎ  Ａｎｓｗｅｒメッセージの１つのＡＶＰの形態で含まれることができる。また、この情報は、Ｓｅｒｖｉｎｇ−Ｎｏｄｅ  ＡＶＰやＳｅｒｖｉｃｅ−Ａｒｅａ−Ｉｄｅｎｔｉｔｙ  ＡＶＰの１つとして含まれることができる。より具体的に、ＭＭＥ  １２０６がＧＭＬＣ  １２０８に転送するＰｒｏｖｉｄｅ  Ｌｏｃａｔｉｏｎ  Ａｎｓｗｅｒに含まれるＳｅｒｖｉｎｇ−Ｎｏｄｅ  ＡＶＰまたはＳｅｒｖｉｃｅ−Ａｒｅａ−Ｉｄｅｎｔｉｔｙ  ＡＶＰは、前述した１ｘＲＴＴ  ＭＳＣＩＤを含むことができる。
【０１１８】
このメッセージの転送過程及びこのメッセージによって発生する以後ＧＭＬＣ  １２０８の位置連続性提供過程は、実施形態において、ＨＯされた呼が応急呼の場合に限って適用されることもできる。
【０１１９】
ＧＭＬＣ  １２０８は、段階１２５５のように、ＭＭＥ  １２０６から受信したＭＳＣＩＤを格納することができ、これを利用して位置連続性を支援することができ、これを介して１ｘＲＴＴ網でも位置連続性が可能であることができる。
【０１２０】
図１３は、本発明の他の実施形態によって１ｘＲＴＴ網にＳＲＶＣＣが進行されるとき、ユーザ端末の位置情報を提供する方法を示す図である。
【０１２１】
図１３を参照すれば、ユーザ端末（端末、Ｕｓｅｒ  Ｅｑｕｉｐｍｅｎｔ，ＵＥ）１３０２、基地局（ＲＡＮ，Ｒａｄｉｏ  Ａｃｃｅｓｓ  Ｎｅｔｗｏｒｋ）１３０４、移動性管理エンティティー（Ｍｏｂｉｌｉｔｙ  Ｍａｎａｇｅｍｅｎｔ  Ｅｎｔｉｔｙ，ＭＭＥ）１３０６及びＧＭＬＣ（Ｇａｔｅｗａｙ  Ｍｏｂｉｌｅ  Ｌｏｃａｔｉｏｎ  Ｃｅｎｔｅｒ）１３０８のうち少なくとも２つのエンティティーの間で信号が送受信されることができる。また、基地局は、ユーザ端末がＥ−ＵＴＲＡＮを介してサービスを受ける場合、ｅＮＢであることができる。
【０１２２】
段階１３１０で、ユーザ端末１３０２は、基地局１３０４と連結動作を行い、段階１３１５で、ユーザ端末１３０２は、連結モードで現在進行中のＩＭＳ  ＶｏＰＳ（Ｖｏｉｃｅ  ｏｖｅｒＰＳ）呼、通常、ＶｏＬＴＥと称される呼を有している。実施形態において、前記ＩＭＳ  ＶｏＰＳ呼の場合、基地局１２０４の間に形成されることができ、また、進行中の呼は、応急呼であることができる。
【０１２３】
段階１３２０で、基地局（ＲＡＮ）１３０４は、ユーザ端末１３０２と網の状態によってＨＯ決定を行うことができ、ユーザ端末１３０２がＩＭＳ  ＶｏＰＳ呼を有しており、ＨＯが発生する対象セルが１ｘＲＴＴセルの場合、ＳＲＶＣＣ過程のための動作を行うことができる。
【０１２４】
段階１３２５で、基地局１３０４は、１ｘＲＴＴ網にＳＲＶＣＣを始めるために、Ｈａｎｄｏｖｅｒ  ｆｒｏｍ  ＥＵＴＲＡ  Ｐｒｅｐａｒａｔｉｏｎ  Ｒｅｑｕｅｓｔを端末１３０２に転送することができる。実施形態において、前記Ｈａｎｄｏｖｅｒ  ｆｒｏｍ  ＥＵＴＲＡ  Ｐｒｅｐａｒａｔｉｏｎ  Ｒｅｑｕｅｓｔには、３Ｇ１ｘ  Ｏｖｅｒｈｅａｄ  ＰａｒａｍｅｔｅｒｓまたはＲＡＮＤ  ｖａｌｕｅのうち少なくとも１つが含まれることができる。
【０１２５】
段階１３３０で、ユーザ端末１３０２は、これに対する応答として、ＵＬ  ｈａｎｄｏｖｅｒ  ｐｒｅｐａｒａｔｉｏｎ  Ｔｒａｎｓｆｅｒ  ｍｅｓｓａｇｅを基地局１３０４に転送することができる。実施形態において、前記ＵＬ  ｈａｎｄｏｖｅｒ  ｐｒｅｐａｒａｔｉｏｎＴｒａｎｓｆｅｒ  ｍｅｓｓａｇｅには、１ｘＲＴＴ  Ｏｒｉｇｉｎａｔｉｏｎ  ｍｅｓｓａｇｅが含まれることができ、端末１３０２と基地局１３０４の間に形成された呼が応急呼の場合には、ｅｍｅｒｇｅｎｃｙ  ｔｙｐｅを示す識別子またはＭＥＩＤ（またはＩＭＥＩ）のうち少なくとも１つが含まれることができる。
【０１２６】
段階１３３５で、基地局１３０４は、ＭＭＥ  １３０６にＵｐｌｉｎｋ  Ｓ１  ｃｄｍａ２０００  Ｔｕｎｎｅｌｉｎｇメッセージを転送することができる。実施形態において、前記Ｕｐｌｉｎｋ  Ｓ１  ｃｄｍａ２０００  Ｔｕｎｎｅｌｉｎｇメッセージには、端末１３０２から受信したＭＥＩＤ，ＲＡＮＤ，１ｘ  Ｏｒｉｇｉｎａｔｉｏｎ情報またはＳＲＶＣＣ動作の対象になる１ｘＲＴＴセルのＲｅｆｅｒｅｎｃｅ  Ｃｅｌｌ  ＩＤのうち少なくとも１つ以上が含まれることができ、また、１ｘＲＴＴ網へのＨＯ動作が準備中であることをＭＭＥ  １３０６に通知するために、ＣＤＭＡ２０００  ＨＯ  Ｒｅｑｕｉｒｅｄ  Ｉｎｄｉｃａｔｉｏｎ  ＩＥを含むことができる。実施形態において、基地局１３０４がＭＭＥ  １３０６に伝達するＲｅｆｅｒｅｎｃｅ  Ｃｅｌｌ  ＩＤは、ＭＳＣＩＤまたはＣｅｌｌ／Ｓｅｃｔｏｒ情報のうち少なくとも１つを含むことができ、ＭＳＣＩＤは、ＭＳＣの識別子としてＭａｒｋｅｔ  ＩＤまたはＳｗｉｔｃｈ  Ｎｕｍｂｅｒのうち少なくとも１つを含むことができ、Ｃｅｌｌ／Ｓｅｃｔｏｒ情報は、Ｃｅｌｌ識別子またはＳｅｃｔｏｒの番号のうち少なくとも１つを含むことができる。
【０１２７】
段階１３４０及び段階１３４５で、ＭＭＥ  １３０６は、基地局１３０４から受信した情報を利用してＳＲＶＣＣ過程を行うことができる。また、実施形態において、ＭＭＥ  １３０６は、受信されたＲｅｆｅｒｅｎｃｅ  Ｃｅｌｌ  ＩＤ情報から対象ＭＳＣのアドレス（ＭＳＣａｄｄｒｅｓｓ）または番号（ＭＳＣ  Ｎｕｍｂｅｒ）のうち少なくとも１つを把握することができる。このために、ＭＭＥ  １３０６には、Ｒｅｆｅｒｅｎｃｅ  Ｃｅｌｌ  ＩＤ別にＭＳＣアドレスまたは番号のマッピングを示すテーブルが設定されていて、これを使用するか、ＤＮＳ  Ｑｕｅｒｙを使用することができ、ＭＳＣ番号は、Ｅ．２１２でエンコードされた情報であることができる。
【０１２８】
さらに他の実施形態において、ＭＭＥ  １３０６は、Ｒｅｆｅｒｅｎｃｅ  Ｃｅｌｌ  ＩＤからＭＳＣＩＤを抽出し、この情報を基盤にあらかじめ設定されたマッピングテーブルを検索するか、ＤＮＳ  Ｑｕｅｒｙを行い、ＭＳＣアドレスまたは番号を把握することができる。ＭＭＥ  １３０６は、この情報を格納して位置サービス及び連続性支援のために使用することができる。
【０１２９】
段階１３５０で、ＭＭＥ  １３０６は、加入者位置レポートのためのメッセージをＧＭＬＣ１３０８に転送することができる。より具体的に、もしハンドオーバーが完了し、Ｅ−ＵＴＲＡＮ網で制御平面（Ｃｏｎｔｒｏｌ  Ｐｌａｎｅ）方法が使用される場合、ＭＭＥ  １３０６は、位置サービス及び連続性提供のために加入者位置レポートのためのメッセージをＧＭＬＣ１３０８に転送することができる。実施形態において、前記加入者位置レポートのためのメッセージは、Ｐｒｏｖｉｄｅ  Ｌｏｃａｔｉｏｎ  Ａｎｓｗｅｒメッセージであることができる。実施形態において、Ｐｒｏｖｉｄｅ  Ｌｏｃａｔｉｏｎ  Ａｎｓｗｅｒメッセージには、ユーザ端末識別子または以前の過程でＭＭＥ  １３０６が基地局１３０４から受信したＲｅｆｅｒｅｎｃｅ  Ｃｅｌｌ  ＩＤを介して把握された１ｘＲＴＴ  ＭＳＣのアドレスまたは１ｘＲＴＴ  ＭＳＣの番号のうち少なくとも１つが含むことができる。実施形態において、ＭＳＣアドレスまたは番号は、ＧＭＬＣ  １３０８がユーザ端末が１ｘＲＴＴ網でサービスを受けるＭＳＣを探すのに使用されることができ、ＭＳＣ  Ｎｕｍｂｅｒは、Ｅ．２１２でエンコードされることができる。
【０１３０】
この情報は、前記ＭＭＥ  １３０６がＧＭＬＣ  １３０８に送るメッセージ、例えばＰｒｏｖｉｄｅ  Ｌｏｃａｔｉｏｎ  Ａｎｓｗｅｒメッセージの１つのＡＶＰの形態で含まれることができ、特にＳｅｒｖｉｎｇ−Ｎｏｄｅ  ＡＶＰやＳｅｒｖｉｃｅ−Ａｒｅａ−Ｉｄｅｎｔｉｔｙ  ＡＶＰの１つとして含まれることができる。すなわち、より具体的に、ＭＭＥ  １３０６がＧＭＬＣ  １３０８に送るＰｒｏｖｉｄｅ  Ｌｏｃａｔｉｏｎ  Ａｎｓｗｅｒに含まれるＳｅｒｖｉｎｇ−Ｎｏｄｅ  ＡＶＰやＳｅｒｖｉｃｅ−Ａｒｅａ−ＩｄｅｎｔｉｔｙＡＶＰは、１ｘＲＴＴ  ＭＳＣ  ａｄｄｒｅｓｓまたは１ｘＲＴＴ  ＭＳＣ  Ｎｕｍｂｅｒを含むことができる。
【０１３１】
このメッセージの転送過程及びこのメッセージによって発生する以後ＧＭＬＣ  １３０８の位置連続性提供過程は、実施形態において、ＨＯされた呼が応急呼の場合に限って適用されることもできる。
【０１３２】
ＧＭＬＣ  １３０８は、段階１３５５のように、ＭＭＥ  １３０６から受信した１ｘＲＴＴ  ＭＳＣアドレスまたは１ｘＲＴＴ  ＭＳＣナンバーまたはＭＳＣＩＤを格納することができ、これを利用して位置連続性を支援することができ、これを通じて、１ｘＲＴＴ網でも位置連続性ができる。
【０１３３】
もし、ユーザ端末機がＶｏＩＭＳサービスを提供される途中に、ＶｏＩＭＳサービスを支援することができる領域を脱すれば、呼を維持するために、単一無線音声呼連結性（Ｓｉｎｇｌｅ  Ｒａｄｉｏ  Ｖｏｉｃｅ  Ｃａｌｌ  Ｃｏｎｔｉｎｕｉｔｙ：ＳＲＶＣＣ、以下“ＳＲＶＣＣ”という）方式を適用し、前記ユーザ端末機をＣＳを支援するネットワークにスイッチングさせることができる。
【０１３４】
もしユーザ端末がサービスを受けている領域でＣＳを支援するネットワーク（またはシステム）が１ｘＲＴＴ（またはＣＤＭＡ２０００基盤３ＧＰＰ２  １ｘＣＳを使用する類似網）の場合にも、ＳＲＶＣＣ方法が適用されることができる。もしＳＲＶＣＣが発生した場合、端末ユーザの位置を提供する位置サービス（Ｌｏｃａｔｉｏｎ  Ｓｅｒｖｉｃｅ）に対する持続性（ｃｏｎｔｉｎｕｉｔｙ）を提供する必要があることができる。
【０１３５】
特に、もし現在進行中の呼が応急呼（Ｅｍｅｒｇｅｎｃｙ  Ｃａｌｌ）の場合、位置サービス提供及びこれに対する連続性提供は、事業者政策や地域／国家の規定によって支援されるとできる。また、現在進行中の呼が応急呼ではない場合にも、位置サービス提供及びこれに対する連続性提供が必要なことがある。
【０１３６】
以下、実施形態を通じて、Ｅ−ＵＴＲＡＮで３ＧＰＰ２  １ｘＣＳ（以下、１ｘＲＴＴと同じ意味として使用される）網にＳＲＶＣＣが進行されるとき、位置サービス及び連続性提供のための方法を説明する。説明の便宜のために、ユーザ端末が応急呼を有する場合に対応して各通信エンティティーの間に前記位置情報を交換する方法を実施形態として説明するが、本発明の実施形態の適用範囲は、応急呼に限定されるものではなく、一般呼にも適用されることができる。
【０１３７】
図１４は、本発明のさらに他の実施形態によって１ｘＲＴＴ網にＳＲＶＣＣが進行されるとき、ユーザ端末の位置情報を提供する方法を示す図である。
【０１３８】
図１４を参照すれば、ユーザ端末（端末、Ｕｓｅｒ  Ｅｑｕｉｐｍｅｎｔ，ＵＥ）１４０１、基地局（ＲＡＮ，Ｒａｄｉｏ  Ａｃｃｅｓｓ  Ｎｅｔｗｏｒｋ）１４０２、移動性管理エンティティー（Ｍｏｂｉｌｉｔｙ  Ｍａｎａｇｅｍｅｎｔ  Ｅｎｔｉｔｙ，ＭＭＥ）１４０４、１ｘＣＳ  ＩＷＳ（Ｉｎｔｅｒｗｏｒｋｉｎｇ  Ｓｏｌｕｔｉｏｎ  Ｆｕｎｃｔｉｏｎ）１４０４及びＧＭＬＣ（Ｇａｔｅｗａｙ  Ｍｏｂｉｌｅ  Ｌｏｃａｔｉｏｎ  Ｃｅｎｔｅｒ）１４０５のうち少なくとも２つのエンティティーの間で信号が送受信されることができる。また、基地局１４０２は、ユーザ端末１４０１がＥ−ＵＴＲＡＮを介してサービスを受ける場合、ｅＮＢであることができる。
【０１３９】
段階１４１０で、ユーザ端末１４０１は、基地局１４０２と連結動作を行うことができる。
【０１４０】
段階１４１５で、ユーザ端末１４０１は、連結モードで現在進行中のＩＭＳ  ＶｏＰＳ（Ｖｏｉｃｅ  ｏｖｅｒ  ＰＳ）呼を有することができる。実施形態において、前記ＩＭＳ  ＶｏＰＳ 呼 は、通常、ＶｏＬＴＥと称される呼であることができる。実施形態において、前記ＩＭＳ  ＶｏＰＳ呼の場合、基地局１４０２を介して形成されることができ、また、進行中の呼は、応急呼であることができる。
【０１４１】
段階１４２０で、基地局（ＲＡＮ）１４０２は、ユーザ端末１４０１と網の状態によってハンドオーバー（Ｈａｎｄｏｖｅｒ，ＨＯ）決定を行うことができる。このようにハンドオーバー決定を行うとき、ユーザ端末１４０１がＩＭＳ  ＶｏＰＳ呼を有しており、ＨＯが発生する対象セルが１ｘＲＴＴセルの場合、基地局１４０２は、ＳＲＶＣＣ過程のための動作を行うことができる。実施形態において、対象セルは、目的セルまたはターゲット（ｔａｒｇｅｔ）セルと称されることができる。
【０１４２】
段階１４２５で、基地局１４０２は、１ｘＲＴＴ網にＳＲＶＣＣを始めるために、Ｈａｎｄｏｖｅｒ  ｆｒｏｍ  ＥＵＴＲＡ  Ｐｒｅｐａｒａｔｉｏｎ  Ｒｅｑｕｅｓｔを端末１４０１に転送することができる。実施形態において、前記Ｈａｎｄｏｖｅｒ  ｆｒｏｍ  ＥＵＴＲＡＰｒｅｐａｒａｔｉｏｎ  Ｒｅｑｕｅｓｔには、３Ｇ１ｘ  Ｏｖｅｒｈｅａｄ  ＰａｒａｍｅｔｅｒｓまたはＲＡＮＤ  ｖａｌｕｅのうち少なくとも１つが含まれることができる。
【０１４３】
段階１４３０で、ユーザ端末１４０１は、これに対する応答として、ＵＬ  ｈａｎｄｏｖｅｒ  ｐｒｅｐａｒａｔｉｏｎ  Ｔｒａｎｓｆｅｒ  ｍｅｓｓａｇｅを基地局１４０２に転送することができる。実施形態において、前記ＵＬ  ｈａｎｄｏｖｅｒ  ｐｒｅｐａｒａｔｉｏｎＴｒａｎｓｆｅｒ  ｍｅｓｓａｇｅには、１ｘＲＴＴ  Ｏｒｉｇｉｎａｔｉｏｎ  ｍｅｓｓａｇｅが含まれることができ、端末１４０１が基地局１４０２を介してサービスを受ける呼が応急呼の場合には、ｅｍｅｒｇｅｎｃｙ  ｔｙｐｅを示す識別子またはＭＥＩＤ（ＭｏｂｉｌｅＥｑｕｉｐｍｅｎｔ  Ｉｄｅｎｔｉｆｉｅｒ）（またはＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ））のうち少なくとも１つが含まれることができる。
【０１４４】
段階１４３５で、基地局１４０２は、ＭＭＥ  １４０３にＵｐｌｉｎｋ  Ｓ１  ｃｄｍａ２０００  Ｔｕｎｎｅｌｉｎｇメッセージを転送することができる。実施形態において、前記Ｕｐｌｉｎｋ  Ｓ１  ｃｄｍａ２０００  Ｔｕｎｎｅｌｉｎｇメッセージには、端末１４０１から受信したＭＥＩＤ，ＲＡＮＤ，１ｘ  Ｏｒｉｇｉｎａｔｉｏｎ情報またはＳＲＶＣＣ動作の対象になる１ｘＲＴＴセルのＲｅｆｅｒｅｎｃｅ  Ｃｅｌｌ  ＩＤのうち少なくとも１つが含まれることができ、また、１ｘＲＴＴ網へのＨＯ動作が準備中であることをＭＭＥ  １４０３に通知するためにＣＤＭＡ  ２０００  ＨＯ  Ｒｅｑｕｉｒｅｄ  Ｉｎｄｉｃａｔｉｏｎ  ＩＥを含むことができる。また、実施形態において、基地局１４０２がＭＭＥ  １４０３に伝達するＲｅｆｅｒｅｎｃｅ  Ｃｅｌｌ  ＩＤは、ＭＳＣＩＤまたはＣｅｌｌ／Ｓｅｃｔｏｒ情報のうち少なくとも１つを含むことができ、前記ＭＳＣＩＤは、ＭＳＣ（Ｍｏｂｉｌｅ  Ｓｗｉｔｃｈｉｎｇ  Ｃｅｎｔｅｒ）の識別子としてＭａｒｋｅｔ  ＩＤまたはＳｗｉｔｃｈ  Ｎｕｍｂｅｒのうち少なくとも１つを含むことができ、Ｃｅｌｌ／Ｓｅｃｔｏｒ情報は、Ｃｅｌｌ識別子またはＳｅｃｔｏｒの番号のうち少なくとも１つを含むことができる。
【０１４５】
本実施形態において、前記ＭＳＣＩＤは、ＭＭＥ  １４０３が連結を有している１ｘＣＳ  ＩＷＳ（Ｓｉｎｇｌｅ  Ｒａｄｉｏ  Ｖｏｉｃｅ  Ｃａｌｌ  Ｃｏｎｔｉｎｕｉｔｙ  Ｉｎｔｅｒｗｏｒｋｉｎｇ  ｓｏｌｕｔｉｏｎ  Ｆｕｎｃｔｉｏｎ  ｆｏｒ  ３ＧＰＰ２  １ｘＣＳ）を指称する識別子であることができる。
【０１４６】
段階１４４０で、ＭＭＥ  １４０３は、基地局１４０２から受信した情報中の１つ以上を利用してＳＲＶＣＣ過程を行うことができる。ＭＭＥ  １４０３は、選択された１ｘＣＳ  ＩＷＳ  １４０４にＳＲＶＣＣを行うためのメッセージを転送する。すなわち、ＭＭＥ  １４０３は、１ｘＣＳ  ＩＷＳ  １４０４に１ｘ  Ａｉｒ  Ｉｎｔｅｒｆａｃｅ  Ｓｉｇｎａｌｉｎｇ（Ｓ１０２  Ｄｉｒｅｃｔ  Ｔｒａｎｓｆｅｒ）メッセージを転送し、このメッセージには、前記受信された１ｘＲＴＴ  Ｒｅｆｅｒｅｎｃｅ  Ｃｅｌｌ  ＩＤ，１ｘ  Ｏｒｉｇｉｎａｔｉｏｎメッセージ、ＭＥＩＤまたはＲＡＮＤ値のうち１つ以上が含まれることができる。
【０１４７】
段階１４４５で、１ｘＣＳ  ＩＷＳ  １４０４は、ＳＲＶＣＣ動作を行うために必要な場合１ｘＲＴＴ  ＭＳＣと相互メッセージを取り交わすことができ、前記相互メッセージ交換は、選択的に進行されてもよい。
【０１４８】
段階１４５０で、１ｘＣＳ  ＩＷＳ  １４０４は、ＭＭＥ  １４０３にＡ２１メッセージ、例えば１ｘ  Ａｉｒ  Ｉｎｔｅｒｆａｃｅ  Ｓｉｇｎａｌｉｎｇ（Ｓ１０２  Ｄｉｒｅｃｔ  Ｔｒａｎｓｆｅｒ）メッセージを転送することができる。このメッセージには、１ｘｈａｎｄｏｆｆ  ｄｉｒｅｃｔｉｏｎメッセージが含まれる（ｅｎｃａｐｓｕｌａｔｉｏｎ）ことができる。また、このメッセージには、ユーザ端末に対して実際１ｘＣＳサービスを提供する１ｘＲＴＴ  ＭＳＣ（すなわちユーザ端末が登録された１ｘＲＴＴ  ＭＳＣ）を指称する識別子（１ｘＲＴＴ  ＭＳＣ  Ｉｄｅｎｔｉｔｙ）またはアドレス（１ｘＲＴＴ  ＭＳＣ  ａｄｄｒｅｓｓ／ｎｕｍｂｅｒ）のうち少なくとも１つが含まれることができる。すなわち、１ｘ  Ａｉｒ  Ｉｎｔｅｒｆａｃｅ  Ｓｉｇｎａｌｉｎｇメッセージは、１ｘＲＴＴ  ＭＳＣに対する識別子を有するＭＳＣ  ＩｄｅｎｔｉｔｙまたはＳｅｒｖｉｎｇ  Ｎｏｄｅ  Ｉｄｅｎｔｉｔｙ  ＩＥのうち少なくとも１つが含まれることができる。
段階１４５５で、端末１４０１、基地局１４０２またはＭＭＥ  １４０３のうち少なくとも１つのエンティティーが１ｘＲＴＴ網にＳＲＶＣＣするための動作を行うことができる。
【０１４９】
段階１４６０で、ＭＭＥ  １４０３は、加入者位置レポートのためのメッセージをＧＭＬＣ１４０５に転送することができる。より具体的に、もしハンドオーバーが完了し、Ｅ−ＵＴＲＡＮ網で制御平面（Ｃｏｎｔｒｏｌ  Ｐｌａｎｅ）方法が使用される場合、ＭＭＥ  １４０３は、位置サービス及び連続性提供のために加入者位置レポートのためのメッセージをＧＭＬＣ１４０５に転送することができる。実施形態において、前記加入者位置レポートのためのメッセージは、Ｐｒｏｖｉｄｅ  Ｌｏｃａｔｉｏｎ  Ａｎｓｗｅｒメッセージであることができる。
【０１５０】
実施形態において、前記ＧＭＣＬ  １４０５に転送されるメッセージは、ユーザ端末１４０１識別子、ＭＭＥが１ｘＣＳ  ＩＷＳからＡ２１メッセージ（１ｘ  Ａｉｒ  Ｉｎｔｅｒｆａｃｅ  Ｓｉｇｎａｌｉｎｇメッセージ）を介して受信した１ｘＲＴＴ  ＭＳＣの識別子（１ｘＲＴＴ  ＭＳＣ  Ｉｄｅｎｔｉｔｙまたは１ｘＲＴＴ  ＭＳＣ  ａｄｄｒｅｓｓ／ｎｕｍｂｅｒ）、またはＭＭＥ  １４０３が基地局１４０２から受信して格納されたＲｅｆｅｒｅｎｃｅ  Ｃｅｌｌ  ＩＤのうち少なくとも１つを含むことができる。
【０１５１】
また、実施形態において、この情報は、前記ＭＭＥ  １４０３がＧＭＬＣ  １４０５に転送するメッセージ、例えばＰｒｏｖｉｄｅ  Ｌｏｃａｔｉｏｎ  Ａｎｓｗｅｒメッセージの１つのＡＶＰの形態で含まれることができ、また、Ｓｅｒｖｉｎｇ−Ｎｏｄｅ  ＡＶＰやＳｅｒｖｉｃｅ−Ａｒｅａ−Ｉｄｅｎｔｉｔｙ  ＡＶＰの１つとして含まれることができる。より具体的に、ＭＭＥ  １４０３がＧＭＬＣ  １４０５に送るＰｒｏｖｉｄｅ  Ｌｏｃａｔｉｏｎ  Ａｎｓｗｅｒに含まれるＳｅｒｖｉｎｇ−Ｎｏｄｅ  ＡＶＰまたはＳｅｒｖｉｃｅ−Ａｒｅａ−Ｉｄｅｎｔｉｔｙ  ＡＶＰは、１ｘＲＴＴ  ＭＳＣ  Ｉｄｅｎｔｉｔｙ，１ｘＲＴＴ  ＭＳＣ  ａｄｄｒｅｓｓ／ｎｕｍｂｅｒ、またはＲｅｆｅｒｅｎｃｅ  Ｃｅｌｌ  ＩＤのうち少なくとも１つを含むことができる。
【０１５２】
実施形態において、このメッセージの転送過程及びこのメッセージによって発生する以後ＧＭＬＣ  １４０５の位置連続性提供過程は、実施形態において、ＨＯされた呼が応急呼の場合に限って選択的に適用されることもできる。
【０１５３】
段階１４６５で、ＧＭＬＣ  １４０５は、ＭＭＥ  １４０３から受信した情報を格納し、これを活用してユーザ位置情報と関連した動作を行うことができる。実施形態において、ＧＭＬＣ  １４０５は、ＭＭＥ  １４０３から受信した情報（１ｘＲＴＴ  ＭＳＣ  Ｉｄｅｎｔｉｔｙ，１ｘＲＴＴ  ＭＳＣ  ａｄｄｒｅｓｓ／ｎｕｍｂｅｒ、またはＲｅｆｅｒｅｎｃｅ  Ｃｅｌｌ  ＩＤ）を利用して位置連続性を支援することができ、これを通じて、１ｘＲＴＴ網でも位置連続性が可能であることができる。
【０１５４】
一方、前記実施形態の前記段階１４５０で、１ｘＣＳ  ＩＷＳ  １４０４が１ｘＲＴＴ  ＭＳＣに対する識別子を提供しない場合、ＭＭＥ  １４０３は、前記段階１４３５で受信されたＲｅｆｅｒｅｎｃｅ  Ｃｅｌｌ  ＩＤを使用してユーザ端末１４０１にサービスを提供する１ｘＲＴＴ  ＭＳＣの識別子を探して前記段階１４６０でＧＭＬＣ  １４０５に提供することができる。この場合、ＭＭＥ  １４０３がＲＡＮ  １４０２から受信したＲｅｆｅｒｅｎｃｅ  Ｃｅｌｌ  ＩＤに含まれたＭＳＣＩＤと、ＭＭＥ  １４０３がＧＭＬＣ  １４０５に提供する１ｘＲＴＴ  ＭＳＣ識別子は、互いに異なることができる。
【０１５５】
前記実施形態において、ＭＭＥ  １４０３がＲｅｆｅｒｅｎｃｅ  Ｃｅｌｌ  ＩＤを介してユーザ端末１４０１がサービスを受ける１ｘＲＴＴ  ＭＳＣの識別子を探すために、ＭＭＥ  １４０３には、各Ｒｅｆｅｒｅｎｃｅ  Ｃｅｌｌ  ＩＤに対して対応する１ｘＲＴＴ  ＭＳＣの識別子を格納した情報（例えばｍａｐｐｉｎｇ  ｔａｂｌｅ）が設定されていることができる。前記対応する識別子を探す過程で、Ｒｅｆｅｒｅｎｃｅ  Ｃｅｌｌ  ＩＤのすべての情報（Ｒｅｆｅｒｅｎｃｅ  Ｃｅｌｌ  ＩＤのすべてのｂｉｔｓ）がすべて使用されてもよく、ｍａｓｋを介して一部の部分だけが使用されてもよい。前記対応する識別子情報は、既定の情報によって決定されてもよい。
【０１５６】
前述した実施形態において、すべての段階は、選択的に実行の対象になるか、省略の対象になり得る。また、各実施形態において、段階は、必ず順に行う必要はなく、後先になってもよい。なお、本明細書と図面に開示された本発明の実施形態は、本明細書の技術内容を容易に説明し、本明細書の理解を助けるために特定例を提示したものに過ぎず、本明細書の範囲を限定しようとするものではない。すなわち本明細書の技術的思想に基づく他の変形例が実施可能であることは、本明細書が属する技術分野における通常の知識を有する者に自明である。
【０１５７】
実施形態において、ユーザ端末、基地局、ＭＭＥ，１ｘＣＳ  ＩＷＳまたはＧＭＬＣのうち少なくとも１つは、それぞれ異なるエンティティーと信号を送受信することができる送受信部と、前記送受信部を制御し、各エンティティーの動作を制御することができる制御部とを含む。前記制御部は、実施形態において、説明された各エンティティーの動作を制御することができ、各機能を行う１つ以上のモジュール論理的または物理的モジュールを含むことができる。
【０１５８】
本発明は、例示的な実施形態に記述されたが、多様な変更及び修正が当業者に提案されることができる。また、本発明は、添付の請求範囲の範囲内に属するこのような変更及び修正を含むものと意図される。
【符号の説明】
【０１５９】
１００  ユーザ端末
１１０  ３ＧＰＰ  Ａｃｃｅｓｓ
１２０  Ｓ−ＧＷ
１３０  Ｐ−ＧＷ
１４０  ＰＣＲＦ
２１０  無線ラン
２１５  第１Ｃｅｌｌ
２２０  第２Ｃｅｌｌ
３０２  ユーザ端末
３０４  基地局
３０６  ＷＬＡＮ
９００  表示部
９１０  識別番号
９２０  ＷＬＡＮのＩＤ
９２２  ＷＬＡＮの詳細情報
９３０  ＷＬＡＮのＩＤ
９３２  ＷＬＡＮの詳細情報
１０１０  端末
１０１５  送受信部
１０２０  入力部
１０２５  位置感知部
１０３０  制御部
１０３５  格納部
１０４０  表示部
１１０２  ユーザ端末
１１０４  基地局
１１０６  移動性管理エンティティー
１１０８  ＧＭＬＣ
１２０２  ユーザ端末
１２０４  基地局
１２０６  移動性管理エンティティー
１２０８  ＧＭＬＣ
１３０２  ユーザ端末
１３０４  基地局
１３０６  移動性管理エンティティー
１３０８  ＧＭＬＣ
１４０１  ユーザ端末
１４０２  基地局
１４０３  ＭＭＥ
１４０４  移動性管理エンティティー
１４０５  ＧＭＬＣ
【図１】
2016511973.tif 000003
【図２】
2016511973.tif 000004
【図３】
2016511973.tif 000005
【図４】
2016511973.tif 000006
【図５】
2016511973.tif 000007
【図６】
2016511973.tif 000008
【図７】
2016511973.tif 000009
【図８】
2016511973.tif 000010
【図９Ａ】
2016511973.tif 000011
【図９Ｂ】
2016511973.tif 000012
【図１０】
2016511973.tif 000013
【図１１】
2016511973.tif 000014
【図１２】
2016511973.tif 000015
【図１３】
2016511973.tif 000016
【図１４】
2016511973.tif 000017
【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
移動通信システムのＭＭＥ（ｍｏｂｉｌｉｔｙ  ｍａｎａｇｅｍｅｎｔ  ｅｎｔｉｔｙ）での信号の送受信方法において、
端末のソースネットワークからターゲットネットワークへハンドオーバーすることと関連した第１情報を含む第１メッセージを受信する段階と、
前記第１メッセージに基づいて、前記端末の位置と関連した第２情報を含む第２メッセージを位置サーバーに転送する段階とを含み、
前記端末の位置と関連した第２情報は、前記ターゲットネットワークに対応するｒｅｆｅｒｅｎｃｅ  ｃｅｌｌ  ｉｄｅｎｔｉｔｙであることを特徴とする信号の送受信方法。
【請求項２】
前記端末の位置と関連した第２情報を基地局から受信する段階をさらに含むことを特徴とする請求項１に記載の信号の送受信方法。
【請求項３】
前記第１情報は、前記端末の移動装置識別子（ｍｏｂｉｌｅ  ｅｑｕｉｐｍｅｎｔ  ｉｄｅｎｔｉｆｉｅｒ）、基地局が生成したｒａｎｄｏｍ  ｎｕｍｂｅｒ及び１ｘ  ｏｒｉｇｉｎａｔｉｏｎに関する情報のうち少なくとも１つを含むことを特徴とする請求項１に記載の信号の送受信方法。
【請求項４】
移動通信システムのソースネットワークの基地局での信号の送受信方法において、
端末の前記ソースネットワークからターゲットネットワークへハンドオーバーすることと関連した第１情報を含む第１メッセージを受信する段階と、
前記第１情報に基づいて、第２メッセージをＭＭＥ（ｍｏｂｉｌｉｔｙ  ｍａｎａｇｅｍｅｎｔ  ｅｎｔｉｔｙ）に転送する段階とを含み、
前記ＭＭＥは、前記第２メッセージに基づいて、前記端末の位置と関連した第２情報を含む第３メッセージを転送し、
前記端末の位置と関連した第２情報は、前記ターゲットネットワークに対応するｒｅｆｅｒｅｎｃｅ  ｃｅｌｌ  ｉｄｅｎｔｉｔｙであることを特徴とする信号の送受信方法。
【請求項５】
前記端末の位置と関連した第２情報を前記ＭＭＥに転送する段階をさらに含むことを特徴とする請求項４に記載の信号の送受信方法。
【請求項６】
前記第２メッセージは、前記端末の移動装置識別子（ｍｏｂｉｌｅ  ｅｑｕｉｐｍｅｎｔ  ｉｄｅｎｔｉｆｉｅｒ）、前記基地局が生成したｒａｎｄｏｍ  ｎｕｍｂｅｒ及び１ｘ  ｏｒｉｇｉｎａｔｉｏｎに関する情報のうち少なくとも１つを含むことを特徴とする請求項４に記載の信号の送受信方法。
【請求項７】
移動通信システムのＭＭＥ（ｍｏｂｉｌｉｔｙ  ｍａｎａｇｅｍｅｎｔ  ｅｎｔｉｔｙ）において、
信号を送受信する送受信部と、
前記送受信部を制御し、
端末のソースネットワークからターゲットネットワークへハンドオーバーすることと関連した第１情報を含む第１メッセージを受信し、
前記第１メッセージに基づいて、前記端末の位置と関連した第２情報を含む第２メッセージを位置サーバーに転送する制御部とを含み、
前記端末の位置と関連した第２情報は、前記ターゲットネットワークに対応するｒｅｆｅｒｅｎｃｅ  ｃｅｌｌ  ｉｄｅｎｔｉｔｙであることを特徴とするＭＭＥ。
【請求項８】
前記制御部は、
前記端末の位置と関連した第２情報を基地局から受信することを特徴とする請求項７に記載のＭＭＥ。
【請求項９】
前記第１情報は、前記端末の移動装置識別子（ｍｏｂｉｌｅ  ｅｑｕｉｐｍｅｎｔ  ｉｄｅｎｔｉｆｉｅｒ）、基地局が生成したｒａｎｄｏｍ  ｎｕｍｂｅｒ及び１ｘ  ｏｒｉｇｉｎａｔｉｏｎに関する情報のうち少なくとも１つを含むことを特徴とする請求項７に記載のＭＭＥ。
【請求項１０】
移動通信システムのソースネットワークの基地局において、
信号を送受信する送受信部と、
前記送受信部を制御し、端末の前記ソースネットワークからターゲットネットワークへハンドオーバーすることと関連した第１情報を含む第１メッセージを受信し、
前記第１情報に基づいて、第２メッセージをＭＭＥ（ｍｏｂｉｌｉｔｙ  ｍａｎａｇｅｍｅｎｔ  ｅｎｔｉｔｙ）に転送する制御部とを含み、
前記ＭＭＥは、前記第２メッセージに基づいて、前記端末の位置と関連した第２情報を含む第３メッセージを転送し、
前記端末の位置と関連した第２情報は、前記ターゲットネットワークに対応するｒｅｆｅｒｅｎｃｅ  ｃｅｌｌ  ｉｄｅｎｔｉｔｙであることを特徴とする基地局。
【請求項１１】
前記制御部は、
前記端末の位置と関連した第２情報を前記ＭＭＥに転送することを特徴とする請求項１０に記載の基地局。
【請求項１２】
前記第２メッセージは、前記端末の移動装置識別子（ｍｏｂｉｌｅ  ｅｑｕｉｐｍｅｎｔ  ｉｄｅｎｔｉｆｉｅｒ）、前記基地局が生成したｒａｎｄｏｍ  ｎｕｍｂｅｒ及び１ｘ  ｏｒｉｇｉｎａｔｉｏｎに関する情報のうち少なくとも１つを含むことを特徴とする請求項１０に記載の基地局。
【国際調査報告】
2016511973.tif 000018
2016511973.tif 000019